(57)【要約】  本発明の実施例は、情報送信方法を提供し、ユーザ装置により、第１のサブフレームを決定し、第１のサブフレームで第１の上りリンク信号を送信するようにUEを構成し、UEにより、第１の上りリンク信号が第１の種類の上りリンク信号であることを決定し、第１の種類の上りリンク信号は、第１のサブフレームのシンボルの第１の部分を占有し、シンボルの第１の部分に含まれるシンボルの数は、第１のサブフレームに含まれるシンボルの数未満であり、UEにより、第１のサブフレームのシンボルの第２の部分で下りリンク制御チャネルを検出し、シンボルの第１の部分及びシンボルの第２の部分は時間ドメインで重複しないことを含む。UEが第１のサブフレームのシンボルの第１の部分で第１の上りリンク信号を送信するように構成されている場合、UEは、第１のサブフレームのシンボルの第２の部分で物理下りリンク制御チャネルを検出し、シンボルの第１の部分及びシンボルの第２の部分は時間ドメインで重複しない。
2015537449.tif 000002
【特許請求の範囲】
【請求項１】
ユーザ装置（UE）により、第１のサブフレームを決定するステップと、
前記UEにより、前記第１のサブフレームで送信される第１の上りリンク信号を決定するステップと、
前記UEにより、前記第１の上りリンク信号が第１の種類の上りリンク信号であるか否かを決定するステップであり、前記第１の種類の上りリンク信号は、前記第１のサブフレームのシンボルの第１の部分を占有し、前記シンボルの第１の部分に含まれるシンボルの数は、前記第１のサブフレームに含まれるシンボルの数未満であるステップと、
前記第１の上りリンク信号が第１の種類の上りリンク信号である場合、前記UEにより、前記第１のサブフレームのシンボルの第２の部分で下りリンク制御チャネルを検出するステップであり、前記シンボルの第１の部分及び前記シンボルの第２の部分は時間ドメインで重複しないステップと
を有する情報送信方法。
【請求項２】
前記第１の種類の上りリンク信号は、サウンディング参照信号（SRS）、上りリンク肯定応答／否定応答（ACK/NACK）情報、上りリンク復調用参照信号、上りリンクデータチャネル、チャネル状態情報、スケジューリング要求インジケータ、及びランダムアクセス情報のうち少なくとも１つを有する、請求項１に記載の方法。
【請求項３】
前記第１のサブフレームの前記シンボルの第１の部分及び前記シンボルの第２の部分は、１つの時分割双方向（TDD）キャリアにある、或いは
前記第１のサブフレームの前記シンボルの第１の部分は第１のキャリアにあり、前記第１のサブフレームの前記シンボルの第２の部分は第２のキャリアにあり、上りリンク／下りリンクサブフレーム構成は、前記第１のキャリア及び前記第２のキャリアで異なり、前記UEは、半二重UEである、請求項１又は２に記載の方法。
【請求項４】
前記第１のキャリア又は前記第２のキャリアの前記第１のサブフレームは、TDD特別サブフレームである、請求項３に記載の方法。
【請求項５】
前記第１のサブフレームで第１の上りリンク信号を送信するように前記UEを構成することは、
前記UEにより、前記第１のサブフレームの前の時点で基地局により送信された上りリンクスケジューリング許可に従って、前記第１のサブフレームの前記シンボルの第１の部分で上りリンクデータチャネルを送信すること、或いは
前記UEにより、前記第１のサブフレームの前の時点で基地局により送信された物理下りリンク制御チャネル及び／又は下りリンクデータチャネルに従って、前記第１のサブフレームの前記シンボルの第１の部分で上りリンク肯定応答／否定応答（ACK/NACK）情報を送信すること、或いは
前記UEにより、前記第１のサブフレームの前の時点で基地局により送信された無線リソース制御（RRC）シグナリング、物理下りリンク制御チャネル又はブロードキャストシグナリングに従って、前記第１のサブフレームの前記シンボルの第１の部分でサウンディング参照信号（SRS）、上りリンク復調用参照信号、チャネル状態情報、スケジューリング要求インジケータ、及びランダムアクセス情報のうち少なくとも１つを送信することを有する、請求項１ないし４のうちいずれか１項に記載の方法。
【請求項６】
下りリンク制御チャネルを検出することは、物理下りリンク制御チャネル（PDCCH）、拡張物理下りリンク制御チャネル（EPDCCH）、下りリンクACK/NACKチャネル、拡張下りリンクACK/NACKチャネル、及び物理制御フォーマットインジケータチャネル（PCFICH）のうち少なくとも１つを検出することを有する、請求項１ないし５のうちいずれか１項に記載の方法。
【請求項７】
前記シンボルの第１の部分は、前記第１のサブフレームのシンボル、タイムスロット又は上りリンクタイムスロット（UpPTS）領域である、及び／又は
前記シンボルの第２の部分は、前記第１のサブフレームのシンボル、タイムスロット、下りリンクタイムスロット（DwPTS）領域、又は従来の下りリンク制御チャネル領域である、請求項１ないし６のうちいずれか１項に記載の方法。
【請求項８】
前記UEにより、前記第１のサブフレームのシンボルの第２の部分で下りリンク制御チャネルを検出した後に、
前記下りリンク制御チャネルが前記第１のサブフレームで下りリンクデータチャネルをスケジューリングする場合、前記UEにより、前記下りリンクデータチャネルを受信し、前記UEにより、前記第１のサブフレームの前記シンボルの第１の部分で前記第１の上りリンク信号を送信することをスキップするステップ、又は
前記下りリンク制御チャネルが前記第１のサブフレームで下りリンクデータチャネルをスケジューリングする場合、前記UEにより、前記第１のサブフレームのシンボルの第３の部分で前記下りリンクデータチャネルを受信し、前記UEにより、前記第１のサブフレームの前記シンボルの第１の部分で前記第１の上りリンク信号を送信するステップであり、前記シンボルの第１の部分及び前記シンボルの第３の部分は重複しないステップを更に有する、請求項１ないし７のうちいずれか１項に記載の方法。
【請求項９】
前記シンボルの第２の部分と前記シンボルの第１の部分との間にガード期間が存在する、及び／又は
前記シンボルの第３の部分と前記シンボルの第１の部分との間にガード期間が存在する、請求項８に記載の方法。
【請求項１０】
前記第１の上りリンク信号が前記第１の種類の上りリンク信号に属さない場合、前記UEにより、前記第１のサブフレームで下りリンク制御チャネルを検出することをスキップするステップを更に有する、請求項１又は２に記載の方法。
【請求項１１】
基地局により、第１のサブフレームを決定するステップと、
前記基地局により、前記第１のサブフレームで第１の上りリンク信号を送信するようにUEを構成するステップと、
前記基地局により、前記第１の上りリンク信号が第１の種類の上りリンク信号であるか否かを決定するステップであり、前記第１の種類の上りリンク信号は、前記第１のサブフレームのシンボルの第１の部分を占有し、前記シンボルの第１の部分に含まれるシンボルの数は、前記第１のサブフレームに含まれるシンボルの数未満であるステップと、
前記第１の上りリンク信号が第１の種類の上りリンク信号である場合、前記基地局により、前記第１のサブフレームのシンボルの第２の部分で下りリンク制御チャネルを前記UEに送信するステップであり、前記シンボルの第１の部分及び前記シンボルの第２の部分は時間ドメインで重複しないステップと
を有する情報送信方法。
【請求項１２】
前記第１の種類の上りリンク信号は、サウンディング参照信号（SRS）、上りリンク肯定応答／否定応答（ACK/NACK）情報、上りリンク復調用参照信号、上りリンクデータチャネル、チャネル状態情報、スケジューリング要求インジケータ、及びランダムアクセス情報のうち少なくとも１つを有する、請求項１１に記載の方法。
【請求項１３】
前記第１のサブフレームの前記シンボルの第１の部分及び前記シンボルの第２の部分は、１つの時分割双方向（TDD）キャリアにある、或いは
前記第１のサブフレームの前記シンボルの第１の部分は第１のキャリアにあり、前記第１のサブフレームの前記シンボルの第２の部分は第２のキャリアにあり、上りリンク／下りリンクサブフレーム構成は、前記第１のキャリア及び前記第２のキャリアで異なり、前記UEは、半二重UEである、請求項１１又は１２に記載の方法。
【請求項１４】
第１のキャリア又は第２のキャリアの前記第１のサブフレームは、TDD特別サブフレームである、請求項１１ないし１３のうちいずれか１項に記載の方法。
【請求項１５】
前記基地局により、前記第１のサブフレームで第１の上りリンク信号を送信するようにUEを構成することは、
前記基地局により、前記第１のサブフレームの前の時点で前記基地局により送信された上りリンクスケジューリング許可を使用することにより、前記第１のサブフレームの前記シンボルの第１の部分で上りリンクデータチャネルを送信するように前記UEを構成すること、或いは
前記基地局により、前記第１のサブフレームの前の時点で前記基地局により送信された物理下りリンク制御チャネル及び／又は下りリンクデータチャネルを使用することにより、前記第１のサブフレームの前記シンボルの第１の部分で上りリンク肯定応答／否定応答（ACK/NACK）情報を送信するように前記UEを構成すること、或いは
前記基地局により、前記第１のサブフレームの前の時点で前記基地局により送信された無線リソース制御（RRC）シグナリング、物理下りリンク制御チャネル又はブロードキャストシグナリングを使用することにより、前記第１のサブフレームの前記シンボルの第１の部分でサウンディング参照信号（SRS：Sounding  Reference  Signal）、上りリンク復調用参照信号、チャネル状態情報、スケジューリング要求インジケータ、及びランダムアクセス情報のうち少なくとも１つを送信するように前記UEを構成することを有する、請求項１１ないし１４のうちいずれか１項に記載の方法。
【請求項１６】
前記基地局により、前記第１のサブフレームのシンボルの第２の部分で下りリンク制御チャネルを前記UEに送信することにおいて、前記物理下りリンク制御チャネルは、物理下りリンク制御チャネル（PDCCH）、拡張物理下りリンク制御チャネル（EPDCCH）、下りリンクACK/NACKチャネル、拡張下りリンクACK/NACKチャネル、及び物理制御フォーマットインジケータチャネル（PCFICH）のうち少なくとも１つを有する、請求項１１ないし１５のうちいずれか１項に記載の方法。
【請求項１７】
前記シンボルの第１の部分は、前記第１のサブフレームのシンボル、タイムスロット又はUpPTS領域である、及び／又は
前記シンボルの第２の部分は、前記第１のサブフレームのシンボル、タイムスロット、DwPTS領域、又は従来の下りリンク制御チャネル領域である、請求項１１ないし１６のうちいずれか１項に記載の方法。
【請求項１８】
前記物理下りリンク制御チャネルは、下りリンクスケジューリング割り当てであり、
前記基地局により、前記第１のサブフレームのシンボルの第２の部分で物理下りリンク制御チャネルを前記UEに送信した後に、
前記基地局により、前記第１のサブフレームで下りリンクデータチャネルを前記UEに送信し、前記下りリンクデータチャネルは、前記下りリンクスケジューリング割り当てにより指示又はスケジューリングされ、前記基地局により、前記第１のサブフレームの前記シンボルの第１の部分で前記第１の上りリンク信号を受信することをスキップするステップ、又は
前記基地局により、前記第１のサブフレームのシンボルの第３の部分で下りリンクデータチャネルを前記UEに送信し、前記下りリンクデータチャネルは、前記下りリンクスケジューリング割り当てにより指示又はスケジューリングされ、前記シンボルの第３の部分及び前記シンボルの第１の部分は重複せず、前記基地局により、前記第１のサブフレームの前記シンボルの第１の部分で前記第１の上りリンク信号を受信するステップを更に有する、請求項１１ないし１７のうちいずれか１項に記載の方法。
【請求項１９】
前記シンボルの第２の部分と前記シンボルの第１の部分との間にガード期間が存在する、及び／又は
前記シンボルの第３の部分と前記シンボルの第１の部分との間にガード期間が存在する、請求項１１ないし１８のうちいずれか１項に記載の方法。
【請求項２０】
ユーザ装置（UE）のために第１のサブフレームを決定するように構成された決定モジュールと、
第１の上りリンク信号が第１の種類の上りリンク信号であるか否かを決定するように構成された判断モジュールであり、前記第１の種類の上りリンク信号は、前記第１のサブフレームのシンボルの第１の部分を占有し、前記シンボルの第１の部分に含まれるシンボルの数は、前記第１のサブフレームに含まれるシンボルの数未満である判断モジュールと、
前記第１の上りリンク信号が前記第１の種類の上りリンク信号である場合、前記第１のサブフレームの前記シンボルの第２の部分で下りリンク制御チャネルを検出するように構成された検出モジュールであり、前記シンボルの第１の部分及び前記シンボルの第２の部分は時間ドメインで重複しない検出モジュールと
を有するUE。
【請求項２１】
前記第１の種類の上りリンク信号は、サウンディング参照信号（SRS）、上りリンク肯定応答／否定応答（ACK/NACK）情報、上りリンク復調用参照信号、上りリンクデータチャネル、チャネル状態情報、スケジューリング要求インジケータ、及びランダムアクセス情報のうち少なくとも１つを有する、請求項２０に記載のUE。
【請求項２２】
前記第１のサブフレームの前記シンボルの第１の部分及び前記シンボルの第２の部分は、１つの時分割双方向（TDD：Time  Duplexing  Division）キャリアにある、或いは
前記第１のサブフレームの前記シンボルの第１の部分は第１のキャリアにあり、前記第１のサブフレームの前記シンボルの第２の部分は第２のキャリアにあり、上りリンク／下りリンクサブフレーム構成は、前記第１のキャリア及び前記第２のキャリアで異なり、前記UEは、半二重UEである、請求項２０又は２１に記載のUE。
【請求項２３】
第１のキャリア又は第２のキャリアの前記第１のサブフレームは、TDD特別サブフレームである、請求項２０ないし２２のうちいずれか１項に記載のUE。
【請求項２４】
前記UEは、前記第１のサブフレームで前記第１の上りリンク信号を送信するように構成され、前記UEは、
前記UEが前記第１のサブフレームの前の時点で基地局により送信された上りリンクスケジューリング許可を使用することにより前記基地局により構成されている場合、前記第１のサブフレームの前記シンボルの第１の部分で上りリンクデータチャネルを送信するように構成された送信モジュール、或いは
前記UEが前記第１のサブフレームの前の時点で基地局により送信された物理下りリンク制御チャネル及び／又は下りリンクデータチャネルを使用することにより前記基地局により構成されている場合、前記第１のサブフレームの前記シンボルの第１の部分で上りリンク肯定応答／否定応答（ACK/NACK）情報を送信するように構成された送信モジュール、或いは
前記UEが前記第１のサブフレームの前の時点で基地局により送信された無線リソース制御（RRC）シグナリング、物理下りリンク制御チャネル又はブロードキャストシグナリングを使用することにより前記基地局により構成されている場合、前記第１のサブフレームの前記シンボルの第１の部分でサウンディング参照信号（SRS：Sounding  Reference  Signal）、上りリンク復調用参照信号、チャネル状態情報、スケジューリング要求インジケータ、及びランダムアクセス情報のうち少なくとも１つを送信するように構成された送信モジュールを有する、請求項２０ないし２３のうちいずれか１項に記載のUE。
【請求項２５】
前記UEにより、前記第１のサブフレームの前記シンボルの第２の部分で物理下りリンク制御チャネルを検出することにおいて、前記物理下りリンク制御チャネルは、物理下りリンク制御チャネル（PDCCH：Physical  Downlink  Control  Channel）、拡張物理下りリンク制御チャネル（EPDCCH：Enhanced  PDCCH）、下りリンクACK/NACKチャネル、拡張下りリンクACK/NACKチャネル、及び物理制御フォーマットインジケータチャネル（PCFICH：Physical  Control  Format  Indicator  Channel）のうち少なくとも１つを有する、請求項２０ないし２４のうちいずれか１項に記載のUE。
【請求項２６】
前記シンボルの第１の部分は、前記第１のサブフレームのシンボル、タイムスロット又はUpPTS領域である、及び／又は
前記シンボルの第２の部分は、前記第１のサブフレームのシンボル、タイムスロット、DwPTS領域、又は従来の下りリンク制御チャネル領域である、請求項２０ないし２５のうちいずれか１項に記載のUE。
【請求項２７】
前記UEにより、前記第１のサブフレームの前記シンボルの第２の部分で物理下りリンク制御チャネルを検出した後に、
前記物理下りリンク制御チャネルが前記第１のサブフレームで下りリンクデータチャネルをスケジューリングする場合、前記UEのために前記下りリンクデータチャネルを受信するように構成された受信モジュール、及び前記UEが前記第１のサブフレームの前記シンボルの第１の部分で前記第１の上りリンク信号を送信することをスキップすることを決定するように構成された送信モジュール、又は
前記物理下りリンク制御チャネルが前記第１のサブフレームで下りリンクデータチャネルをスケジューリングする場合、前記UEのために前記第１のサブフレームのシンボルの第３の部分で前記下りリンクデータチャネルを受信するように構成された受信モジュール、及び前記UEのために前記第１のサブフレームの前記シンボルの第１の部分で前記第１の上りリンク信号を送信するように構成された送信モジュールであり、前記シンボルの第１の部分及び前記シンボルの第３の部分は重複しない送信モジュールを更に有する、請求項２０ないし２６のうちいずれか１項に記載のUE。
【請求項２８】
前記シンボルの第２の部分と前記シンボルの第１の部分との間にガード期間が存在する、及び／又は
前記シンボルの第３の部分と前記シンボルの第１の部分との間にガード期間が存在する、請求項２０ないし２７のうちいずれか１項に記載のUE。
【請求項２９】
前記第１の上りリンク信号が前記第１の種類の上りリンク信号でない場合、前記第１のサブフレームで下りリンク制御チャネルを検出することをスキップするように構成された判断モジュールを更に有する、請求項２０又は２１に記載のUE。
【請求項３０】
基地局のために第１のサブフレームを決定するように構成された決定モジュールと、
第１の上りリンク信号が第１の種類の上りリンク信号であるか否かを決定するように構成された判断モジュールであり、前記第１の種類の上りリンク信号は、前記第１のサブフレームのシンボルの第１の部分を占有し、前記シンボルの第１の部分に含まれるシンボルの数は、前記第１のサブフレームに含まれるシンボルの数未満である判断モジュールと、
前記第１の上りリンク信号が第１の種類の上りリンク信号である場合、前記第１のサブフレームのシンボルの第２の部分で下りリンク制御チャネルをUEに送信するように構成された送信モジュールであり、前記シンボルの第１の部分及び前記シンボルの第２の部分は時間ドメインで重複しない送信モジュールと
を有する基地局。
【請求項３１】
前記第１の種類の上りリンク信号は、サウンディング参照信号（SRS）、上りリンク肯定応答／否定応答（ACK/NACK）情報、上りリンク復調用参照信号、上りリンクデータチャネル、チャネル状態情報、スケジューリング要求インジケータ、及びランダムアクセス情報のうち少なくとも１つを有する、請求項３０に記載の基地局。
【請求項３２】
前記第１のサブフレームの前記シンボルの第１の部分及び前記シンボルの第２の部分は、１つの時分割双方向（TDD）キャリアにある、或いは
前記第１のサブフレームの前記シンボルの第１の部分は第１のキャリアにあり、前記第１のサブフレームの前記シンボルの第２の部分は第２のキャリアにあり、上りリンク／下りリンクサブフレーム構成は、前記第１のキャリア及び前記第２のキャリアで異なり、前記UEは、半二重UEである、請求項３０又は３１に記載の基地局。
【請求項３３】
第１のキャリア又は第２のキャリアの前記第１のサブフレームは、TDD特別サブフレームである、請求項３０ないし３２のうちいずれか１項に記載の基地局。
【請求項３４】
前記基地局により、前記第１のサブフレームで前記第１の上りリンク信号を送信するように前記UEを構成することは、
前記第１のサブフレームの前の時点で前記基地局により送信された上りリンクスケジューリング許可を使用することにより、前記第１のサブフレームの前記シンボルの第１の部分で上りリンクデータチャネルを送信するように前記UEを構成するように構成された構成モジュール、及び
前記第１のサブフレームの前の時点で前記基地局により送信された物理下りリンク制御チャネル及び／又は下りリンクデータチャネルを使用することにより、前記第１のサブフレームの前記シンボルの第１の部分で上りリンク肯定応答／否定応答（ACK/NACK）情報を送信するように前記UEを構成するように構成された構成モジュール、或いは
前記第１のサブフレームの前の時点で前記基地局により送信された無線リソース制御（RRC）シグナリング、物理下りリンク制御チャネル又はブロードキャストシグナリングを使用することにより、前記第１のサブフレームの前記シンボルの第１の部分でサウンディング参照信号（SRS：Sounding  Reference  Signal）、上りリンク復調用参照信号、チャネル状態情報、スケジューリング要求インジケータ、及びランダムアクセス情報のうち少なくとも１つを送信するように前記UEを構成するように構成された構成モジュールを有する、請求項３０ないし３３のうちいずれか１項に記載の基地局。
【請求項３５】
前記基地局により、前記第１のサブフレームのシンボルの第２の部分で物理下りリンク制御チャネルを前記UEに送信することにおいて、前記物理下りリンク制御チャネルは、物理下りリンク制御チャネル（PDCCH：Physical  Downlink  Control  Channel）、拡張物理下りリンク制御チャネル（EPDCCH：Enhanced  PDCCH）、下りリンクACK/NACKチャネル、拡張下りリンクACK/NACKチャネル、及び物理制御フォーマットインジケータチャネル（PCFICH：Physical  Control  Format  Indicator  Channel）のうち少なくとも１つを有する、請求項３０ないし３４のうちいずれか１項に記載の基地局。
【請求項３６】
前記シンボルの第１の部分は、前記第１のサブフレームのシンボル、タイムスロット又はUpPTS領域である、及び／又は
前記シンボルの第２の部分は、前記第１のサブフレームのシンボル、タイムスロット、DwPTS領域、又は従来の下りリンク制御チャネル領域である、請求項３０ないし３５のうちいずれか１項に記載の基地局。
【請求項３７】
前記物理下りリンク制御チャネルは、下りリンクスケジューリング割り当てであり、
前記基地局が、前記第１のサブフレームの前記シンボルの第２の部分で物理下りリンク制御チャネルを前記UEに送信した後に、
前記基地局のために前記第１のサブフレームで下りリンクデータチャネルを前記UEに送信するように構成された送信モジュールであり、前記下りリンクデータチャネルは、前記下りリンクスケジューリング割り当てにより指示又はスケジューリングされる送信モジュール、及び前記基地局が前記第１のサブフレームの前記シンボルの第１の部分で前記第１の上りリンク信号を検出することをスキップすることを決定するように構成された受信モジュール、又は
前記基地局のために前記第１のサブフレームのシンボルの第３の部分で下りリンクデータチャネルを前記UEに送信するように構成された送信モジュールであり、前記下りリンクデータチャネルは、前記下りリンクスケジューリング割り当てにより指示又はスケジューリングされ、前記シンボルの第３の部分及び前記シンボルの第１の部分は重複しない送信モジュール、及び前記基地局のために前記第１のサブフレームの前記シンボルの第１の部分で前記第１の上りリンク信号を受信するように構成された送信モジュールを更に有する、請求項３０ないし３６のうちいずれか１項に記載の基地局。
【請求項３８】
前記シンボルの第２の部分と前記シンボルの第１の部分との間にガード期間が存在する、及び／又は
前記シンボルの第３の部分と前記シンボルの第１の部分との間にガード期間が存在する、請求項３０ないし３７のうちいずれか１項に記載の基地局。
【発明の詳細な説明】
【技術分野】
【０００１】
本発明は、通信分野に関し、特に無線通信分野における情報送信に関する。
【背景技術】
【０００２】
無線通信システムの双方向モードは、時分割双方向（TDD：Time  Duplexing  Division）及び周波数分割双方向（FDD：Frequency  Duplexing  Division）を含む。１つのTDDキャリアでは、UEは、同時に情報を受信及び送信することはできない。これは、上りリンク送信又は下りリンク送信のいずれかが所与の時点で許可されることを意味する。FDDシステムはまた、全二重FDDと半二重FDDとに分類され得る。これらの双方は、一対のキャリア（すなわち、１つの上りリンクキャリア及び１つの下りリンクキャリア）を有する。全二重FDDでは、UEは、同時に一対の上りリンク及び下りリンクキャリアで情報を別々に受信及び送信することができる。しかし、半二重FDDでは、UEは、所与の時点で一方向のキャリアのみを使用することができる。これは、上りリンクキャリア又は下りリンクキャリアのいずれかが使用されることを意味する。
【０００３】
無線通信システムでは、ユーザ装置（UE：User  Equipment）のピークレートを改善するために、キャリアアグリゲーション技術が使用されることがある。具体的に言えば、１つのUEが使用するための複数のキャリアが一緒に構成されることがある。複数のキャリアは、複数のFDDキャリアでもよく、複数のTDDキャリアでもよい。複数のキャリアが複数のTDDキャリアである場合、複数のTDDキャリアの上りリンク・下りリンク構成は同じである。
【０００４】
ダイナミックTDDキャリア技術が、将来の進化した無線通信システムに導入される可能性がある。特に、既存のTDDキャリア技術では、TDDキャリアの上りリンク及び下りリンクサブフレームの双方は、ブロードキャストシグナリングを使用することにより構成され、上りリンク及び下りリンクサブフレームの間の切り替えは遅く、或いは全く行われないことすらある。しかし、ダイナミックTDDキャリア技術では、ダイナミックTDDキャリアのいくつかのサブフレーム又は全てのサブフレームの方向は、UEのサービス要件に従って基地局により動的に決定され得る。すなわち、１つのサブフレームは、上りリンクサブフレーム又は下りリンクサブフレームに動的に変更され得る。明らかに、UEは、同時に情報を受信又は送信することは依然としてできない。
【０００５】
キャリアの上りリンク・下りリンク構成が異なるキャリアアグリゲーション技術も、将来の進化した無線通信システムに導入される可能性がある。特に、例えば、２つのTDDキャリアがUEに構成されることがあり、２つのTDDキャリアのTDD上りリンク・下りリンク構成は異なる。他の例では、１つのFDDキャリアと１つのTDDキャリアがアグリゲーションされることがあり、２つのキャリアの上りリンク・下りリンク構成も異なる。この場合、いくつかのサブフレームに衝突したサブフレームが存在する。すなわち、衝突したサブフレームは、１つのTDDキャリアの上りリンクサブフレームになり、衝突したサブフレームは同時に他のTDDキャリアの下りリンクサブフレームになる。従って、衝突したサブフレームでは、２つのキャリアでの同時の送信及び受信をサポートしないUE、すなわち、半二重UEは、１つのキャリアの衝突したサブフレームで情報を送信するか、他のキャリアの衝突したサブフレームで情報を受信するかのいずれかを行う。
【０００６】
半二重UEが同時の受信及び送信を実行できない前述の問題は、前述のダイナミックTDDキャリア及び異なる上りリンク・下りリンク構成を有するキャリアのアグリゲーションの事例で生じる可能性があり、リソース利用を損なう。本発明は、前述の事例においてどのように半二重UEによるリソース利用を改善するかについて問題を解決することを対象とする。
【発明の概要】
【０００７】
本発明は、情報送信方法を提供し、
ユーザ装置（UE）により、第１のサブフレームを決定し、
第１のサブフレームで第１の上りリンク信号を送信するようにUEを構成し、
UEにより、第１の上りリンク信号が第１の種類の上りリンク信号であることを決定し、第１の種類の上りリンク信号は、第１のサブフレームのシンボルの第１の部分を占有し、シンボルの第１の部分に含まれるシンボルの数は、第１のサブフレームに含まれるシンボルの数未満であり、
UEにより、第１のサブフレームのシンボルの第２の部分で下りリンク制御チャネルを検出し、シンボルの第１の部分及びシンボルの第２の部分は時間ドメインで重複しないことを含む。
【０００８】
本発明は、情報送信方法を更に提供し、
基地局により、第１のサブフレームを決定し、
基地局により、第１のサブフレームで第１の上りリンク信号を送信するようにUEを構成し、
基地局により、第１の上りリンク信号が第１の種類の上りリンク信号であることを決定し、第１の種類の上りリンク信号は、第１のサブフレームのシンボルの第１の部分を占有し、シンボルの第１の部分に含まれるシンボルの数は、第１のサブフレームに含まれるシンボルの数未満であり、
基地局により、第１のサブフレームのシンボルの第２の部分で下りリンク制御チャネルをUEに送信し、シンボルの第１の部分及びシンボルの第２の部分は時間ドメインで重複しないことを含む。
【０００９】
本発明は、UEを更に提供し、
UEのために第１のサブフレームを決定するように構成された決定モジュールと、
第１の上りリンク信号がUEのための第１の種類の上りリンク信号であることを決定するように構成された判断モジュールであり、第１の種類の上りリンク信号は、第１のサブフレームのシンボルの第１の部分を占有し、シンボルの第１の部分に含まれるシンボルの数は、第１のサブフレームに含まれるシンボルの数未満である判断モジュールと、
UEのために第１のサブフレームのシンボルの第２の部分で下りリンク制御チャネルを検出するように構成された検出モジュールであり、シンボルの第１の部分及びシンボルの第２の部分は時間ドメインで重複しない検出モジュールとを含む。
【００１０】
本発明は、基地局を更に提供し、
基地局のために第１のサブフレームを決定するように構成された決定モジュールと、
第１の上りリンク信号が基地局のための第１の種類の上りリンク信号であることを決定するように構成された判断モジュールであり、第１の種類の上りリンク信号は、第１のサブフレームのシンボルの第１の部分を占有し、シンボルの第１の部分に含まれるシンボルの数は、第１のサブフレームに含まれるシンボルの数未満である判断モジュールと、
基地局のために第１のサブフレームのシンボルの第２の部分で下りリンク制御チャネルをUEに送信するように構成された送信モジュールであり、シンボルの第１の部分及びシンボルの第２の部分は時間ドメインで重複しない送信モジュールとを含む。
【図面の簡単な説明】
【００１１】
【図１】本発明の実施例によるUE側の情報送信方法
【図２】本発明の実施例による基地局側の情報送信方法
【図３】本発明の実施例による情報送信方法の適用事例図１
【図４】本発明の実施例による情報送信方法の適用事例図２
【図５】本発明の実施例による情報送信方法の適用事例図３
【図６】本発明の実施例による情報送信方法の適用事例図４
【図７】本発明の実施例によるUE
【図８】本発明の実施例による基地局
【発明を実施するための形態】
【００１２】
本発明の実施例又は従来技術の技術的対策を明確に説明するために、以下に、実施例又は従来技術を説明するために必要な添付図面を簡単に紹介する。明らかに以下の説明における添付図面は、単に本発明のいくつかの実施例を示しているに過ぎず、当業者は、創造的取り組みを行うことなく、依然としてこれらの添付図面から他の図面を導くことができる。
【００１３】
以下に、本発明の実施例の添付図面を参照して本発明の実施例の技術的対策を明確且つ完全に説明する。明らかに、記載の実施例は、本発明の実施例の全てではなく、一部に過ぎない。創造的取り組みを行うことなく本発明の実施例に基づいて当業者により得られる全ての他の実施例は、本発明の保護範囲内に入るものとする。
【００１４】
本発明は、情報送信方法を提供する。この方法は、ユーザ装置（UE）側で使用されてもよく、以下を含む。
【００１５】
ステップ11：UEは、第１のサブフレームを決定する。
【００１６】
本発明の実施例では、第１のサブフレームは、TDDキャリアの第１のサブフレームでもよく、この場合、TDDキャリアのみがUEのために基地局により構成される。或いは、第１のサブフレームは、それぞれ第１のキャリア及び第２のキャリアの第１のサブフレームでもよく、この場合、第１のキャリア及び第２のキャリアがUEのために基地局により構成される。第１のキャリア及び第２のキャリアは、２つのTDDキャリアでもよく、１つのTDDキャリア及び１つのFDDキャリアでもよい。特に、第１のキャリア及び第２のキャリアの第１のサブフレームの方向は、特に、第１のキャリアの第１のサブフレームが下りリンクサブフレームであり、第２のキャリアの第１のサブフレームが上りリンクサブフレームであることでもよく、逆でもよい。少なくとも第１のサブフレームは、２つの異なるキャリアの場合に異なる送信方向を有するため、上りリンク及び下りリンクサブフレームの構成が第１のキャリア及び第２のキャリアで異なることが分かる。或いは、第１のキャリア及び第２のキャリアの中で少なくとも１つのキャリアの第１のサブフレームはTDD特別サブフレームである。特別サブフレームは、３つの部分、すなわち、下りリンクタイムスロット、ガード期間及び上りリンクタイムスロットを含む。
【００１７】
ステップ12：UEは、第１のサブフレームで第１の上りリンク信号を送信するように構成される。
【００１８】
UEが第１のサブフレームのシンボルの第１の部分で第１の上りリンク信号を送信するように構成される動作は、以下の選択肢を含んでもよい。
【００１９】
任意選択で、UEは、第１のサブフレームの前の時点で基地局により送信された上りリンクスケジューリング許可を使用することにより、第１のサブフレームのシンボルの第１の部分で上りリンクデータチャネルを送信するように基地局により構成される。特に、第１の上りリンク信号は、上りリンクデータチャネルであり、例えば、物理上りリンク共有チャネル（PUSCH：Physical  Uplink  Shared  Channel）である。サブフレームnで送信されるPUSCHは、サブフレームnの前のサブフレームn-kで基地局により送信された上りリンクスケジューリング許可を使用することにより構成又はスケジューリングされる。ただし、kは4以上の自然数であり、上りリンクスケジューリング許可は、一種の物理下りリンク制御チャネルである。
【００２０】
任意選択で、UEは、第１のサブフレームの前の時点で基地局により送信された物理下りリンク制御チャネル及び／又は下りリンクデータチャネルを使用することにより、第１のサブフレームのシンボルの第１の部分で上りリンク肯定応答／否定応答（ACK/NACK）情報を送信するように基地局により構成される。特に、第１の上りリンク信号は、上りリンクACK/NACKである。サブフレームnで送信される上りリンクACK/NACKは、サブフレームnの前のサブフレームn-kで基地局によりスケジューリングされた下りリンクデータチャネルに関連付けられる。ただし、kは4以上の自然数である。下りリンクデータチャネルは、物理下りリンク共有チャネル（PDSCH：Physical  Downlink  Shared  Channel）でもよく、PDSCHは、基地局により送信された下りリンクスケジューリング割り当てによりスケジューリングされ、下りリンクスケジューリング割り当ては、一種の物理下りリンク制御チャネルである。
【００２１】
任意選択で、UEは、第１のサブフレームの前の時点で基地局により送信された無線リソース制御（RRC）シグナリング、物理下りリンク制御チャネル又はブロードキャストシグナリングを使用することにより、第１のサブフレームのシンボルの第１の部分でサウンディング参照信号（SRS：Sounding  Reference  Signal）、上りリンク復調用参照信号、チャネル状態情報、スケジューリング要求インジケータ、及びランダムアクセス情報のうち少なくとも１つを送信するように基地局により構成される。特に、SRSは、周期的SRSと、非周期的SRSとに分類され、前者は、RRC個別シグナリングを使用することにより構成され、後者は、物理下りリンク制御チャネルによりトリガー又は構成され、１つのサブフレームのシンボルの一部のみで（例えば、最後のシンボル又は上りリンク復調用参照信号が位置するシンボルで）送信される。チャネル状態情報（CSI：Channel  State  Information）は、周期的CSIと、非周期的CSIとに分類され、前者は、RRC個別シグナリングを使用することにより構成され、後者は、物理下りリンク制御チャネルによりトリガー又は構成される。CSIは、チャネル品質インジケータ（Channel  Quality  Indicator）、ランクインジケータ（RI：Rank  Indicator）、プリコーディング行列インジケータ（PMI：Precoding  Matrix  Indicator）等を特に含んでもよい。CSIは、第１のサブフレームのシンボルの第１の部分で（例えば、タイムスロット、すなわち、半サブフレームで）送信されてもよい。スケジューリング要求インジケータは、第１のサブフレームのシンボルの第１の部分で（例えば、タイムスロット、すなわち、半サブフレームで）送信されてもよい。ランダムアクセス（RA：Random  Access）情報は、競合のRA情報と、競合なしのRA情報とに分類され、前者は、ブロードキャストシグナリングを使用することにより構成され、後者は、RRC個別シグナリングを使用することにより構成されてもよい。RA情報は、第１のサブフレームのシンボルの第１の部分で送信されてもよく、例えば、RA情報は、特別サブフレームのUpPTSで送信されるか、サブフレームのタイムスロットで送信されるか、シンボルの他の部分で送信される。上りリンク復調用参照信号は、サブフレームの２つのシンボルで送信され、RRCシグナリングを使用することにより構成されてもよく、物理下りリンク制御チャネルによりトリガーされてもよい。
【００２２】
ステップ13：UEは、第１の上りリンク信号が第１の種類の上りリンク信号であることを決定する。第１の種類の上りリンク信号は、第１のサブフレームのシンボルの第１の部分を占有し、シンボルの第１の部分に含まれるシンボルの数は、第１のサブフレームに含まれるシンボルの数未満である。
【００２３】
特に、第１の種類の上りリンク信号は、サウンディング参照信号（SRS）、上りリンク肯定応答／否定応答（ACK/NACK）情報、上りリンク復調用参照信号、上りリンクデータチャネル、チャネル状態情報、スケジューリング要求インジケータ、及びランダムアクセス情報のうち少なくとも１つを含む。どのように第１の種類の上りリンク信号がシンボルの第１の部分を占有するかについての情報は、特にステップ12に記載されている。
【００２４】
ステップ14：UEは、第１のサブフレームのシンボルの第２の部分で下りリンク制御チャネルを検出する。シンボルの第１の部分及びシンボルの第２の部分は時間ドメインで重複しない。
【００２５】
任意選択で、第１のサブフレームが１つのTDDキャリアにある場合、例えば、TDDキャリアのみがUEのために構成される場合、第１のサブフレームのシンボルの第１の部分とシンボルの第２の部分との双方はTDDキャリアにある。例えば、第１のサブフレームの最初の３つのシンボルは、シンボルの第２の部分であり、特に、UEが物理下りリンク制御チャネルを検出する領域である。物理下りリンク制御チャネルは、PDCCH又はEPDCCHでもよい。第１のサブフレームの最後のシンボルは、シンボルの第１の部分、特に、第１の上りリンク信号を送信するためにUEにより使用されるシンボルである。第１の上りリンク信号は、サウンディング参照シンボル（SRS）、上りリンクデータチャネル等でもよい。他のシンボル構成も当てはまってもよく、例えば、第１のサブフレームのタイムスロット、UpPTS領域又はDwPTS領域、及び従来の制御領域も当てはまってもよい。従来の制御領域は、PDCCH、下りリンクACK/NACKチャネル及びPCFICHのようなチャネルが送信されてサブフレームの最初のnシンボルを占有するLTEシステムの領域である。ただし、nは5未満の自然数である。この実施例では、第１のサブフレームは、柔軟なサブフレームとして理解されてもよく、柔軟なサブフレームは、基地局によるスケジューリングに従って、上りリンクサブフレーム又は下りリンクサブフレームに動的に変更されてもよい。UEが柔軟なサブフレームのシンボルの第１の部分で第１の上りリンク信号を送信するように基地局により構成されていない場合、これは、サブフレームが基地局により上りリンクサブフレームとして使用されないことを意味し、UEは、第１のサブフレームのシンボルの第２の部分で物理下りリンク制御チャネルを検出する。すなわち、サブフレームは、基地局により下りリンクサブフレームとして使用されてもよく、或いは、UEは、物理下りリンク制御チャネルを検出するために柔軟なサブフレームを下りリンクサブフレームとして考慮する。
【００２６】
任意選択で、第１のサブフレームが第１のキャリア及び第２のキャリアの双方に位置する場合、第１のキャリア及び第２のキャリアは、UEのために構成された２つのTDキャリアである。第１のキャリアの第１のサブフレームは、上りリンクサブフレームであり、第２のキャリアの第１のサブフレームは、下りリンクサブフレームである。他のキャリアの構成及びサブフレームの構成も当てはまってもよい。この場合、シンボル構成の例は、第１のキャリアの最後のシンボルが第１のサブフレームのシンボルの第１の部分（すなわち、第１の上りリンク信号を送信するように構成されたシンボルの第１の部分）であり、第２のキャリアの最初の２つのシンボルが第１のサブフレームのシンボルの第２の部分（すなわち、物理下りリンク制御チャネルを検出するためにUEにより使用されるシンボルの第２の部分）であるものでもよい。他のシンボル構成も当てはまってもよく、例えば、第１のサブフレームのタイムスロット、UpPTS領域又はDwPTS領域、及び従来の制御領域も当てはまってもよい。従来の制御領域は、PDCCH、下りリンクACK/NACKチャネル及びPCFICHのようなチャネルが送信されてサブフレームの最初のnシンボルを占有するLTEシステムの領域である。ただし、nは5未満の自然数である。この実施例では、UEは半二重UEであり、これは、UEが同時に情報を送信及び受信することができないことを意味する。例えば、UEは、同時に上りリンク及び下りリンクで同じシンボルを有してもよいが、UEは、第１のキャリアで信号を受信するか、第２のキャリアで信号を送信するかのいずれかを行ってもよく、逆も同様である。
【００２７】
UEが第１のサブフレームのシンボルの第２の部分で物理下りリンク制御チャネルを検出する動作は、以下の選択肢を含んでもよい。
【００２８】
物理下りリンク制御チャネルは、物理下りリンク制御チャネル（PDCCH：Physical  Downlink  Control  Channel）、拡張物理下りリンク制御チャネル（EPDCCH：Enhanced  PDCCH）、下りリンクACK/NACKチャネル、拡張下りリンクACK/NACKチャネル、及び物理制御フォーマットインジケータチャネル（PCFICH：Physical  Control  Format  Indicator  Channel）のうち少なくとも１つを含む。PDCCHは、LTEシステムの前のリリースにおける従来の制御領域で送信される物理下りリンク制御チャネル（例えば、LTEシステムのリリース8〜10のPDCCH）である。EPDCCHは、チャネルプロコーディング送信に基づいて送信される物理下りリンク制御チャネルであり、リソースは、物理リソースブロックの対又は物理リソースブロックの大きさでPDCCHに割り当てられ、EPDCCHは、LTEリリース11又はリリース12で使用される。下りリンクACK/NACKチャネルは、従来の制御領域で送信され、PUSCHに関連付けられたフィードバックチャネルである。拡張下りリンクACK/NACKチャネルは、LTEリリース12以降で導入された下りリンクACK/NACKチャネルであり、リソースは、物理リソースブロックの対又は物理リソースブロックの大きさで拡張下りリンクACK/NACKチャネルに割り当てられてもよい。PCFICHは、サブフレームの従来の制御領域により占有されるシンボルの数を示すために使用され、サブフレームの第１のシンボルで送信される。
【００２９】
任意選択で、ステップ14の後に、前述の方法は以下を更に含む。
【００３０】
一実施例では、
【００３１】
ステップ15：物理下りリンク制御チャネルが第１のサブフレームで下りリンクデータチャネルをスケジューリングする場合、UEは、下りリンクデータチャネルを受信し、UEは、第１のサブフレームのシンボルの第１の部分で第１の上りリンク信号を送信することをスキップする。
【００３２】
特に、物理下りリンク制御チャネルは、下りリンクスケジューリング割り当てである。UEが下りリンクスケジューリング割り当てを検出し、下りリンクスケジューリング割り当てが第１のサブフレームで下りリンクデータチャネル（例えば、時間ドメインにおける全体の第１のサブフレームを占有するPDSCH）の送信をスケジューリング又は指示する場合、UEは、第１のサブフレームで下りリンクデータチャネルを受信する。UEは、同時に受信及び送信することができないため、UEは、第１のサブフレームのシンボルの第１の部分で第１の上りリンク信号（例えば、SRS）を送信することをスキップする。すなわち、UEは、送信動作をスキップすることが決定される。
【００３３】
或いは、他の実施例では、
【００３４】
ステップ15：物理下りリンク制御チャネルが第１のサブフレームで下りリンクデータチャネルをスケジューリングする場合、UEは、第１のサブフレームのシンボルの第３の部分で下りリンクデータチャネルを受信し、UEは、第１のサブフレームのシンボルの第１の部分で第１の上りリンク信号を送信する。シンボルの第１の部分及びシンボルの第３の部分は重複しない。
【００３５】
特に、物理下りリンク制御チャネルは、下りリンクスケジューリング割り当てである。UEが下りリンクスケジューリング割り当てを検出し、下りリンクスケジューリング割り当てが第１のサブフレームで下りリンクデータチャネル（例えば、時間ドメインにおける第１のサブフレームのシンボルの第３の部分のみを占有し得るPDSCH）の送信をスケジューリング又は指示する場合、シンボルの第３の部分及びシンボルの第１の部分は重複しないため、UEは、第１のサブフレームのシンボルの第１の部分で第１の上りリンク信号（例えば、SRS）を送信してもよい。下りリンクスケジューリング割り当てはまた、シンボルの第３の部分で他の下りリンクチャネル（例えば、ACK/NACKチャネル）の送信をスケジューリングしてもよい。
【００３６】
或いは、他の実施例では、
【００３７】
ステップ15：物理下りリンク制御チャネルが第１のサブフレームで下りリンクデータチャネルをスケジューリングし、UEがシンボルの第１の部分で送信するように構成された第１の上りリンク信号が非周期的SRSである場合、UEは、第１のサブフレームのシンボルの第１の部分で非周期的SRSを送信し、第１のサブフレームで下りリンクデータチャネルを受信することをスキップする。
【００３８】
任意選択で、シンボルの第２の部分とシンボルの第１の部分との間にガード期間が存在する、及び／又は、シンボルの第３の部分とシンボルの第１の部分との間にガード期間が存在する。期間は、予め構成されてもよく、シグナリングによりUEに通知されてもよい。期間は、UEのための上りリンク情報送信から下りリンク情報受信を分離する切り替え点として使用される。
【００３９】
任意選択で、第１の上りリンク信号が第１の種類の上りリンク信号ではない場合、UEは、第１のサブフレームで物理下りリンク制御チャネルを検出することをスキップする。シンボルの第１の部分とシンボルの第２の部分との間の重複は、部分的な重複を示してもよく、シンボルの第２の部分がシンボルの第１の部分に含まれることを意味してもよく、シンボルの第１の部分がシンボルの第２の部分に含まれること等を意味してもよい。重複のため、且つ、UEが同時に情報を送信及び受信することができないという事実のため、UEは、前に基地局により実行された構成に従って、シンボルの第１の部分で第１の上りリンク信号を送信し、シンボルの第２の部分で物理下りリンク制御チャネルを検出することをスキップする。
【００４０】
UEが同時に受信及び送信を実行することができるか否かを決定する手順は、シンボルの第１の部分及びシンボルの第２の部分が時間ドメインで重複するか否かを決定することに限定されなくてもよい。決定の結果がUEが同時に情報を受信及び送信ができるかできないかを確かめることができる限り、他の決定する手法が使用されてもよい。例えば、決定する手順はまた、基地局が第１の上りリンク信号を送信するようにUEを構成したシンボルがシンボルの第２の部分と重複することでもよい。
【００４１】
以下に、特定の例を使用することにより、本発明のこの実施例を詳細に説明する。
【００４２】
異なる上りリンク・下りリンク構成を有する２つのTDDキャリアのアグリゲーションが説明の例として使用され、他のキャリアアグリゲーションの事例の処理もこの例と同様である。図３に示すように、第１のキャリアが特別TDD上りリンク・下りリンク構成0を有するキャリア1であり、第２のキャリアが特別上りリンク・下りリンク構成5を有するキャリア2であることが仮定される。一例として、第１のサブフレームは、競合したサブフレームであるサブフレーム7である。具体的には、キャリア1のサブフレーム7は上りリンクサブフレームであり、キャリア2のサブフレーム7は下りリンクサブフレームである。第１の上りリンク信号は周期的SRSであり、周期的SRSは、RRCシグナリングを使用することにより、UEのために基地局により構成される。物理下りリンク制御チャネルは、従来の制御領域のPDCCHである。第１のサブフレームのシンボルの第１の部分は、キャリア1のサブフレーム7の最後のシンボルであり、第１のサブフレームのシンボルの第２の部分は、キャリア2のサブフレーム7の最初のnシンボルであり、nは5未満の自然数である。すなわち、シンボルの第１の部分及びシンボルの第２の部分は重複しない。
【００４３】
従って、UEは、第１のサブフレームがサブフレーム7であることを決定し、サブフレーム7で構成されたSRSが第１の種類の上りリンク信号であり、すなわち、SRSがサブフレーム7のシンボルの第１の部分（例えば、最後のシンボル）を占有することを決定してもよい。
【００４４】
すなわち、決定の結果がシンボルの第１の部分及びシンボルの第２の部分が重複しないことである場合、UEは、キャリア2のサブフレーム7の従来の制御領域でPDCCHを検出する。PDCCHが検出され、PDCCHが現在のサブフレームの共通のPDSCHをスケジューリングする場合、すなわち、PDSCHが時間ドメインにおいて全体のサブフレーム7を占有する場合、UEは、PDSCHを受信し、キャリア1のサブフレーム7のシンボルの第１の部分で構成されたSRSを送信することをスキップする。これに対して、UEがPDCCHを検出しない場合、又はPDSCHがサブフレーム7の第１のタイムスロット（すなわち、最初の7シンボル）のみを占有するという特別PDSCHを検出する場合、UEは、受信をスキップするか、キャリア2のサブフレーム7で特別PDSCHを受信し、キャリア1のサブフレーム7のシンボルの第１の部分（すなわち、最後のシンボル）で構成された周期的SRSを送信する。
【００４５】
決定の結果がシンボルの第１の部分及びシンボルの第２の部分が重複することである場合、例えば、共通のPUSCHがキャリア1のサブフレーム7でスケジューリングされる場合、PUSCHは時間ドメインにおいて全体のサブフレーム7を占有するため、UEは、キャリア2のサブフレーム7でPDCCHを検出することをスキップするが、キャリア1のサブフレーム7でPUSCHを送信する。
【００４６】
本発明で提供される方法は、前述のダイナミックTDDキャリア技術及び異なる上りリンク・下りリンク構成を有するキャリアのアグリゲーションの事例で、競合したサブフレームにおいて半二重UEのリソース利用を改善することができることが分かる。すなわち、UEは、同じサブフレームの重複しないシンボルで別々に受信及び送信することができる。
【００４７】
本発明は、他の実施例の情報送信方法を提供する。この方法は、ユーザ装置側で使用されてもよく、
UEにより、第１のサブフレームを決定し、
UEにより、第１のサブフレームの上りリンク・下りリンク構成が第１のキャリア及び第２のキャリアで異なることを決定し、第１のキャリア及び第２のキャリアはUEのために現在構成されているキャリアであり、
UEにより、第１のキャリアの第１のサブフレームで情報を送信又は受信し、UEにより、第２のキャリアの第１のサブフレームで情報を送信又は受信することをスキップすることを含む。
【００４８】
ステップ51：UEは、第１のサブフレームを決定する。
【００４９】
第１のサブフレームは、それぞれ第１のキャリア及び第２のキャリアの第１のサブフレームでもよく、この場合、第１のキャリア及び第２のキャリアがUEのために基地局により構成される。第１のキャリア及び第２のキャリアは、２つのTDDキャリアでもよく、１つのTDDキャリア及び１つのFDDキャリアでもよい。特に、第１のキャリア及び第２のキャリアの第１のサブフレームの方向は、特に、第１のキャリアの第１のサブフレームが下りリンクタイムスロット（DwPTS）、ガード期間（GP）及び上りリンクタイムスロット（UpPTS）を含む特別サブフレームであり、第２のキャリアの第１のサブフレームが下りリンクサブフレームであることでもよく、逆でもよい。少なくとも第１のサブフレームのシンボルの一部は、第１のサブフレームが２つの異なるキャリアにあるときに異なる送信方向を有するため、上りリンク及び下りリンクサブフレームの構成が第１のキャリア及び第２のキャリアで異なることが分かる。
【００５０】
ステップ52：UEは、第１のサブフレームの上りリンク・下りリンク構成が第１のキャリア及び第２のキャリアで異なることを決定する。第１のキャリア及び第２のキャリアはUEのために現在構成されているキャリアである。
【００５１】
第１のキャリア及び第２のキャリアは、基地局により送信されたRRCシグナリングを使用することにより、UEのために構成される。特に、第１のキャリアは、アンカーキャリア（anchor  carrier）であり、第２のキャリアは、追加キャリアである。第１のキャリア及び第２のキャリアは、２つのTDDキャリアでもよく、１つのFDDキャリア及び１つのTDDキャリアでもよい。
【００５２】
第１のサブフレームの上りリンク・下りリンク構成は、第１のキャリア及び第２のキャリアで異なる。例えば、第１のキャリアの第１のサブフレームは、下りリンクサブフレームであり、第２のキャリアの第１のサブフレームは、上りリンクサブフレームであり、逆も同様である。或いは、第１のキャリアの第１のサブフレームは、３つの部分、すなわち、DwPTS、GP及びUpPTSを含むTDD特別サブフレームであるが、第２のキャリアの第１のサブフレームは、上りリンクサブフレーム又は下りリンクサブフレームである。
【００５３】
ステップ53：UEは、第１のキャリアの第１のサブフレームで情報を送信又は受信し、UEは、第２のキャリアの第１のサブフレームで情報を送信又は受信することをスキップする。
【００５４】
UEは、アンカーキャリアにおける第１のサブフレームの送信構成を決定するために、アンカーキャリアに構成されたサブフレーム構成を使用してもよい。
【００５５】
第１のキャリアがアンカーキャリアである場合、UEは、アンカーキャリアのサブフレーム構成において、アンカーキャリア（すなわち、第１のキャリア）の第１のサブフレームに構成された送信モードを使用してもよい。第１のサブフレームは、下りリンクサブフレームでもよく、上りリンクサブフレームでもよく、下りリンクタイムスロット（DwPTS）、ガード期間（GP）及び上りリンクタイムスロット（UpPTS）を含む特別サブフレームでもよい。更に、UEは、第１のキャリアで対応する上りリンク／下りリンク信号を送信又は受信する。
【００５６】
任意選択で、UEは、第２のキャリアに対応する第１のサブフレームで信号を送信又は受信することをスキップしてもよい。
【００５７】
任意選択で、UEは、第２のキャリアに対応する第１のサブフレームの送信方向に従って、第１のキャリアに対応する第１のサブフレームのタイムスロット構成に基づいて、第２のキャリアに対応する第１のサブフレームにおいて、下りリンク信号受信のための時間の長さと、上りリンク信号送信のための時間の長さとを決定する。下りリンク信号受信のための時間の長さは、第１のキャリアに対応する第１のサブフレームにおける下りリンク信号受信のための時間の長さ以下でもよく、UEは、下りリンク信号のみを受信するか、上りリンク信号のみを送信するかを行う。
【００５８】
任意選択で、第２のキャリアに対応する第１のサブフレームにおいて、UEは、下りリンク制御シグナリング（PDCCH）を受信してもよいが、下りリンクデータチャネルを受信することをスキップしてもよく、いずれかの上りリンクデータ送信を送信することをスキップしてもよい。
【００５９】
任意選択で、第２のキャリアに対応する第１のサブフレームにおいて、UEは、下りリンク信号を受信して上りリンク信号を送信するために、第１のキャリアに対応する第１のサブフレームのタイムスロット構成と同じタイムスロット構成を使用してもよい。
【００６０】
以下に、４つの特定の例を使用することにより、本発明のこの実施例を詳細に説明する。
【００６１】
異なる上りリンク・下りリンク構成を有する２つのTDDキャリアのアグリゲーションが説明の例として使用され、他のキャリアアグリゲーションの事例の処理もこの例と同様である。図４に示すように、第１のキャリアが特別TDD上りリンク・下りリンク構成0を有するキャリア1であり、第２のキャリアが特別上りリンク・下りリンク構成5を有するキャリア2であることが仮定される。更に、第１のキャリアは、アンカーキャリアとして構成され、第２のキャリアは、追加キャリアとして構成される。UEは、第１のサブフレームが競合したサブフレームであるサブフレーム6であることを決定する。具体的には、キャリア1のサブフレーム6は、下りリンクタイムスロット（DwPTS）、ガード期間（GP）及び上りリンクタイムスロット（UpPTS）を含む特別サブフレームであり、キャリア2のサブフレーム6は、下りリンクサブフレームである。UEは、アンカーキャリアの構成（すなわち、キャリア1の構成）に従って、DwPTS及びUpPTSでの信号の受信及び送信が、特別サブフレームの構成に従って第１のキャリアで実行されるべきであることを決定する。キャリア2のサブフレーム6は、下りリンクキャリアであり、キャリア1の構成とは異なる。従って、端末は、キャリア2に対応するサブフレーム6でeNBにより送信されたいずれかの情報を受信することを完全にスキップしてもよい。
【００６２】
異なる上りリンク・下りリンク構成を有する２つのTDDキャリアのアグリゲーションが説明の例として使用され、他のキャリアアグリゲーションの事例の処理もこの例と同様である。図５に示すように、第１のキャリアが特別TDD上りリンク・下りリンク構成0を有するキャリア1であり、第２のキャリアが特別上りリンク・下りリンク構成5を有するキャリア2であることが仮定される。更に、第１のキャリアは、アンカーキャリアとして構成され、第２のキャリアは、追加キャリアとして構成される。UEは、第１のサブフレームが競合したサブフレームであるサブフレーム6であることを決定する。具体的には、キャリア1のサブフレーム6は、下りリンクタイムスロット（DwPTS）、ガード期間（GP）及び上りリンクタイムスロット（UpPTS）を含む特別サブフレームであり、キャリア2のサブフレーム6は、下りリンクサブフレームである。UEは、アンカーキャリアの構成（すなわち、キャリア1の構成）に従って、DwPTS及びUpPTSでの信号の受信及び送信が、特別サブフレームの構成に従って第１のキャリアで実行されるべきであることを決定する。
【００６３】
第１のキャリア及び第２のキャリアの構成に従って、２つの異なる事例が存在する。事例1では、第１のキャリアにおける上りリンク送信のタイミングアドバンスは、第２のキャリアにおける上りリンク送信のタイミングアドバンスと同じである。事例2では、第１のキャリアにおける上りリンク送信のタイミングアドバンスは、第２のキャリアにおける上りリンク送信のタイミングアドバンスとは異なる。前述の２つの事例に基づいて説明が提供される。
【００６４】
事例1では、サブフレーム6の構成は、キャリア2及びキャリア1で異なり、サブフレーム6はキャリア2では下りリンクキャリアであり、キャリア1では特別サブフレームとして構成される。ただし、DwPTSの長さは完全な下りリンクサブフレームの長さ未満である。キャリア2のサブフレーム6では、UEは、下りリンクデータを受信するために、キャリア1のサブフレーム6に対応し、タイムスロットの長さがキャリア1のサブフレーム6の長さ以下であるタイムスロット構成を使用してもよいが、UEは、上りリンクデータを送信する必要はない。
【００６５】
サブフレーム6の構成は、キャリア2及びキャリア1で異なり、サブフレーム6はキャリア2では下りリンクキャリアであり、キャリア1では特別サブフレームとして構成される。ただし、DwPTSの長さは完全な下りリンクサブフレームの長さ未満である。UEは、キャリア1に対応するサブフレーム6のDwPTSの長さに従って、且つ、キャリア1における上りリンク送信のタイミングアドバンスとキャリア2における上りリンク送信のタイミングアドバンスとの間の差に従って、キャリア2のサブフレーム6における下りリンクデータの受信の長さを調整してもよい。上りリンク送信のタイミングアドバンスの差が最小送信シンボルの整数倍でない場合、タイミングアドバンスの差は、最も近い整数に切り捨てられ、キャリア2における下りリンクデータの受信の長さは、最小送信シンボルの整数倍に従って調整される。調整された下りリンクの受信の長さは、調整された下りリンクの受信の長さに最も近い、既存のプロトコルで定義された下りリンクの長さの構成でもよい。調整された下りリンクの長さは、キャリア1のDwPTS及びキャリア間の上りリンクタイミングアドバンスの差に従って計算することにより取得された実際の利用可能な受信の長さ未満であることが確保される。UEは、キャリア2における調整された下りリンクデータ受信の長さに従ってサブフレーム6で下りリンクデータを受信する。しかし、UEは、上りリンクデータを送信する必要はない。
【００６６】
事例2では、
【００６７】
サブフレーム6の構成は、キャリア2及びキャリア1で異なり、サブフレーム6はキャリア2では下りリンクキャリアであり、キャリア1では特別サブフレームとして構成される。ただし、DwPTSの長さは完全な下りリンクサブフレームの長さ未満である。UEは、キャリア1に対応するサブフレーム6のDwPTSの長さに従って、且つ、キャリア1における上りリンク送信のタイミングアドバンスとキャリア2における上りリンク送信のタイミングアドバンスとの間の差に従って、キャリア2のサブフレーム6における下りリンクデータの受信の長さを調整してもよい。上りリンク送信のタイミングアドバンスの差が最小送信シンボルの整数倍でない場合、タイミングアドバンスの差は、最も近い整数に切り捨てられ、キャリア2における下りリンクデータの受信の長さは、最小送信シンボルの整数倍に従って調整される。調整された下りリンクの受信の長さは、調整された下りリンクの受信の長さに最も近い、既存のプロトコルで定義された下りリンクの長さの構成でもよい。調整された下りリンクの長さは、キャリア1のDwPTS及びキャリア間の上りリンクタイミングアドバンスの差に従って計算することにより取得された実際の利用可能な受信の長さ未満であることが確保される。UEは、キャリア2における調整された下りリンクデータ受信の長さに従ってサブフレーム6で下りリンクデータを受信する。しかし、UEは、上りリンクデータを送信する必要はない。
【００６８】
異なる上りリンク・下りリンク構成を有する２つのTDDキャリアのアグリゲーションが説明の例として使用され、他のキャリアアグリゲーションの事例の処理もこの例と同様である。図６に示すように、第１のキャリアが特別TDD上りリンク・下りリンク構成0を有するキャリア1であり、第２のキャリアが特別上りリンク・下りリンク構成5を有するキャリア2であることが仮定される。更に、第１のキャリアは、アンカーキャリアとして構成され、第２のキャリアは、追加キャリアとして構成される。UEは、第１のサブフレームが競合したサブフレームであるサブフレーム6であることを決定する。具体的には、キャリア1のサブフレーム6は、下りリンクタイムスロット（DwPTS）、ガード期間（GP）及び上りリンクタイムスロット（UpPTS）を含む特別サブフレームであり、キャリア2のサブフレーム6は、下りリンクサブフレームである。UEは、アンカーキャリアの構成（すなわち、キャリア1の構成）に従って、DwPTS及びUpPTSでの信号の受信及び送信が、特別サブフレームの構成に従って第１のキャリアで実行されるべきであることを決定する。キャリア2のサブフレーム6は、下りリンクキャリアであり、キャリア1の構成とは異なる。従って、端末は、キャリア2に対応するサブフレーム6でeNBにより送信されたPDCCH情報のみを受信してもよいが、他のデータ情報を受信する必要はない。
【００６９】
本発明は、情報送信方法を更に提供する。この方法は、基地局側で使用されてもよく、以下を含む。
【００７０】
ステップ21：基地局は、第１のサブフレームを決定する。
【００７１】
任意選択で、本発明の実施例では、第１のサブフレームは、TDDキャリアの第１のサブフレームでもよく、この場合、TDDキャリアのみがUEのために基地局により構成される。或いは、任意選択で、第１のサブフレームは、それぞれ第１のキャリア及び第２のキャリアの第１のサブフレームでもよく、この場合、第１のキャリア及び第２のキャリアがUEのために基地局により構成される。第１のキャリア及び第２のキャリアは、２つのTDDキャリアでもよく、１つのTDDキャリア及び１つのFDDキャリアでもよい。
【００７２】
他の第１のサブフレームとキャリアとの間の関係の説明については、UE側で使用される方法を参照し、詳細はここでは再び説明しない。
【００７３】
ステップ22：基地局は、第１のサブフレームで第１の上りリンク信号を送信するようにUEを構成する。
【００７４】
ステップ23：基地局は、第１の上りリンク信号が第１の種類の上りリンク信号であることを決定する。第１の種類の上りリンク信号は、第１のサブフレームのシンボルの第１の部分を占有し、シンボルの第１の部分に含まれるシンボルの数は、第１のサブフレームに含まれるシンボルの数未満である。
【００７５】
ステップ24：基地局は、第１のサブフレームのシンボルの第２の部分で下りリンク制御チャネルをUEに送信する。シンボルの第１の部分及びシンボルの第２の部分は時間ドメインで重複しない。
【００７６】
任意選択で、第１の種類の上りリンク信号は、サウンディング参照信号（SRS）、上りリンク肯定応答／否定応答（ACK/NACK）情報、上りリンク復調用参照信号、上りリンクデータチャネル、チャネル状態情報、スケジューリング要求インジケータ、及びランダムアクセス情報のうち少なくとも１つを含む。
【００７７】
任意選択で、第１のサブフレームのシンボルの第１の部分及びシンボルの第２の部分は、１つの時分割双方向（TDD）キャリアにある。或いは、任意選択で、第１のサブフレームのシンボルの第１の部分は第１のキャリアにあり、第１のサブフレームのシンボルの第２の部分は第２のキャリアにあり、上りリンク／下りリンクサブフレーム構成は、第１のキャリア及び第２のキャリアで異なる。UEは、半二重UEである。
【００７８】
特に、他の第１のサブフレームとシンボルの第１の部分及びシンボルの第２の部分の双方との間の関係の説明については、UE側で使用される方法を参照し、詳細はここでは再び説明しない。
【００７９】
任意選択で、第１のキャリア又は第２のキャリアの第１のサブフレームは、TDD特別サブフレームである。
【００８０】
任意選択で、基地局は、第１のサブフレームの前の時点で基地局により送信された上りリンクスケジューリング許可を使用することにより、第１のサブフレームのシンボルの第１の部分で上りリンクデータチャネルを送信するようにUEを構成する。或いは、基地局は、第１のサブフレームの前の時点で基地局により送信された物理下りリンク制御チャネル及び／又は下りリンクデータチャネルを使用することにより、第１のサブフレームのシンボルの第１の部分で上りリンク肯定応答／否定応答（ACK/NACK）情報を送信するようにUEを構成する。或いは、基地局は、第１のサブフレームの前の時点で基地局により送信された無線リソース制御（RRC）シグナリング、物理下りリンク制御チャネル又はブロードキャストシグナリングを使用することにより、第１のサブフレームのシンボルの第１の部分でサウンディング参照信号（SRS：Sounding  Reference  Signal）、上りリンク復調用参照信号、チャネル状態情報、スケジューリング要求インジケータ、及びランダムアクセス情報のうち少なくとも１つを送信するようにUEを構成する。詳細は、UE側で使用される方法に特に記載されており、ここでは再び説明しない。
【００８１】
任意選択で、物理下りリンク制御チャネルは、物理下りリンク制御チャネル（PDCCH：Physical  Downlink  Control  Channel）、拡張物理下りリンク制御チャネル（EPDCCH：Enhanced  PDCCH）、下りリンクACK/NACKチャネル、拡張下りリンクACK/NACKチャネル、及び物理制御フォーマットインジケータチャネル（PCFICH：Physical  Control  Format  Indicator  Channel）のうち少なくとも１つを含む。詳細は、UE側で使用される方法に特に記載されており、ここでは再び説明しない。
【００８２】
任意選択で、シンボルの第１の部分は、第１のサブフレームのシンボル、タイムスロット又はUpPTS領域である、及び／又はシンボルの第２の部分は、第１のサブフレームのシンボル、タイムスロット、DwPTS領域、又は従来の下りリンク制御チャネル領域である。
【００８３】
任意選択で、物理下りリンク制御チャネルは、下りリンクスケジューリング割り当てである。
【００８４】
基地局が第１のサブフレームのシンボルの第２の部分で物理下りリンク制御チャネルをUEに送信した後に、この方法は以下を更に含む。
【００８５】
ステップ20：基地局は、第１のサブフレームで下りリンクデータチャネルをUEに送信する。下りリンクデータチャネルは、下りリンクスケジューリング割り当てにより指示又はスケジューリングされる。基地局は、第１のサブフレームのシンボルの第１の部分で第１の上りリンク信号を検出することをスキップする。或いは、
【００８６】
ステップ20：基地局は、第１のサブフレームのシンボルの第３の部分で下りリンクデータチャネルをUEに送信する。下りリンクデータチャネルは、下りリンクスケジューリング割り当てにより指示又はスケジューリングされる。シンボルの第３の部分及びシンボルの第１の部分は重複しない。基地局は、第１のサブフレームのシンボルの第１の部分で第１の上りリンク信号を受信する。
【００８７】
任意選択で、シンボルの第２の部分とシンボルの第１の部分との間にガード期間が存在する、及び／又は、シンボルの第３の部分とシンボルの第１の部分との間にガード期間が存在する。
【００８８】
本発明で提供される方法は、前述のダイナミックTDDキャリア技術及び異なる上りリンク・下りリンク構成を有するキャリアのアグリゲーションの事例で、競合したサブフレームにおいて半二重UEのリソース利用を改善することができることが分かる。すなわち、UEは、同じサブフレームの重複しないシンボルで別々に受信及び送信することができる。
【００８９】
本発明は、情報送信方法を更に提供する。この方法は、基地局側で使用されてもよく、基地局により、第１のサブフレームを決定し、第１のサブフレームの上りリンク・下りリンク構成は、第１のキャリア及び第２のキャリアで異なり、第１のキャリア及び第２のキャリアはUEのために現在構成されているキャリアであり、第１のキャリアの第１のサブフレームで、基地局により、UEへの情報又はUEにより送信された情報を送信又は受信し、第１のキャリアの第１のサブフレームで、UEに情報を送信することをスキップすること又はUEにより送信された情報を受信することをスキップすることを含む。
【００９０】
ステップ61：基地局は、第１のサブフレームを決定する。第１のサブフレームの上りリンク・下りリンク構成は、第１のキャリア及び第２のキャリアで異なり、第１のキャリア及び第２のキャリアはUEのために現在構成されているキャリアである。
【００９１】
第１のサブフレームは、それぞれ第１のキャリア及び第２のキャリアの第１のサブフレームでもよく、この場合、第１のキャリア及び第２のキャリアは基地局により構成される。第１のキャリア及び第２のキャリアは、基地局により、２つのTDDキャリアとして構成されてもよく、１つのTDDキャリア及び１つのFDDキャリアとして構成されてもよい。特に、第１のキャリア及び第２のキャリアの第１のサブフレームの方向は、特に、第１のキャリアの第１のサブフレームが下りリンクタイムスロット（DwPTS）、ガード期間（GP）及び上りリンクタイムスロット（UpPTS）を含む特別サブフレームであり、第２のキャリアの第１のサブフレームが下りリンクサブフレームであることでもよく、逆でもよい。少なくとも第１のサブフレームのシンボルの一部は、第１のサブフレームが２つの異なるキャリアにあるときに異なる送信方向を有するため、上りリンク及び下りリンクサブフレームの構成が第１のキャリア及び第２のキャリアで異なることが分かる。
【００９２】
ステップ62：第１のキャリアの第１のサブフレームで、基地局は、UEに情報を送信するか、UEにより送信された情報を受信する。第１のキャリアの第１のサブフレームで、UEは、UEに情報を送信することをスキップするか、UEにより送信された情報を受信することをスキップする。
【００９３】
第１のキャリア及び第２のキャリアは、RRCシグナリングを使用することにより、基地局によりUEのために構成される。特に、第１のキャリアは、アンカーキャリアであり、第２のキャリアは、追加キャリアである。第１のキャリア及び第２のキャリアは、２つのTDDキャリアでもよく、１つのFDDキャリア及び１つのTDDキャリアでもよい。
【００９４】
第１のサブフレームの上りリンク・下りリンク構成は、第１のキャリア及び第２のキャリアで異なる。例えば、第１のキャリアの第１のサブフレームは、下りリンクサブフレームであり、第２のキャリアの第１のサブフレームは、上りリンクサブフレームであり、逆も同様である。或いは、第１のキャリアの第１のサブフレームは、３つの部分、すなわち、DwPTS、GP及びUpPTSを含むTDD特別サブフレームであるが、第２のキャリアの第１のサブフレームは、上りリンクサブフレーム又は下りリンクサブフレームである。
【００９５】
基地局は、アンカーキャリアにおける第１のサブフレームの送信構成を決定するために、アンカーキャリアに構成されたサブフレーム構成を使用する。
【００９６】
第１のキャリアがアンカーキャリアである場合、基地局は、アンカーキャリアのサブフレーム構成において、アンカーキャリア（すなわち、第１のキャリア）の第１のサブフレームに構成された送信モードを使用してもよい。第１のサブフレームは、下りリンクサブフレームでもよく、上りリンクサブフレームでもよく、下りリンクタイムスロット（DwPTS）、ガード期間（GP）及び上りリンクタイムスロット（UpPTS）を含む特別サブフレームでもよい。更に、基地局は、第１のキャリアで対応する上りリンク／下りリンク信号を送信又は受信する。
【００９７】
任意選択で、基地局は、第２のキャリアに対応する第１のサブフレームでいずれかの信号を送信又は受信することを完全にスキップしてもよい。
【００９８】
任意選択で、基地局は、第２のキャリアに対応する第１のサブフレームの送信方向に従って、第１のキャリアに対応する第１のサブフレームのタイムスロット構成に基づいて、第２のキャリアに対応する第１のサブフレームにおいて、下りリンク信号受信のための時間の長さと、上りリンク信号送信のための時間の長さとを決定してもよい。下りリンク信号受信のための時間の長さは、第１のキャリアに対応する第１のサブフレームにおける下りリンク信号受信のための時間の長さ以下でもよく、基地局は、下りリンク信号のみを受信するか、上りリンク信号のみを送信するかを行う。任意選択で、第２のキャリアに対応する第１のサブフレームにおいて、基地局は、下りリンク制御シグナリング（PDCCH）を送信してもよいが、下りリンクデータチャネルを送信することをスキップしてもよく、いずれかの上りリンクデータ送信を受信することをスキップしてもよい。
【００９９】
任意選択で、第２のキャリアに対応する第１のサブフレームにおいて、基地局は、下りリンク信号を送信して上りリンク信号を受信するために、第１のキャリアに対応する第１のサブフレームのタイムスロット構成と同じタイムスロット構成を使用してもよい。
【０１００】
本発明は、UEを更に提供し、
ステップ31：UEのために第１のサブフレームを決定するように構成された決定モジュールと、
ステップ32：第１の上りリンク信号がUEのための第１の種類の上りリンク信号であることをUEのために決定するように構成された判断モジュールであり、第１の種類の上りリンク信号は、第１のサブフレームのシンボルの第１の部分を占有し、シンボルの第１の部分に含まれるシンボルの数は、第１のサブフレームに含まれるシンボルの数未満である判断モジュールと、
ステップ32：UEが第１のサブフレームのシンボルの第１の部分で第１の上りリンク信号を送信するように構成されている場合、第１のサブフレームのシンボルの第２の部分で下りリンク制御チャネルを検出するように構成された検出モジュールであり、シンボルの第１の部分及びシンボルの第２の部分は時間ドメインで重複しない検出モジュールとを含む。
【０１０１】
任意選択で、第１のサブフレームのシンボルの第１の部分及びシンボルの第２の部分は、１つの時分割双方向（TDD：Time  Duplexing  Division）キャリアにある。或いは、第１のサブフレームのシンボルの第１の部分は第１のキャリアにあり、第１のサブフレームのシンボルの第２の部分は第２のキャリアにあり、上りリンク／下りリンクサブフレーム構成は、第１のキャリア及び第２のキャリアで異なる。UEは、半二重UEである。
【０１０２】
任意選択で、第１のキャリア又は第２のキャリアの第１のサブフレームは、TDD特別サブフレームである。
【０１０３】
任意選択で、UEは、第１のサブフレームのシンボルの第１の部分で第１の上りリンク信号を送信するように構成され、UEが第１のサブフレームの前の時点で基地局により送信された上りリンクスケジューリング許可を使用することにより基地局により構成されている場合、第１のサブフレームのシンボルの第１の部分で上りリンクデータチャネルを送信するように構成された送信モジュールを含む。或いは、UEが第１のサブフレームの前の時点で基地局により送信された物理下りリンク制御チャネル及び／又は下りリンクデータチャネルを使用することにより基地局により構成されている場合、第１のサブフレームのシンボルの第１の部分で上りリンク肯定応答／否定応答（ACK/NACK）情報を送信するように構成された送信モジュールを含む。或いは、UEが第１のサブフレームの前の時点で基地局により送信された無線リソース制御（RRC）シグナリング、物理下りリンク制御チャネル又はブロードキャストシグナリングを使用することにより構成されている場合、第１のサブフレームのシンボルの第１の部分でサウンディング参照信号（SRS：Sounding  Reference  Signal）、上りリンク復調用参照信号、チャネル状態情報、スケジューリング要求インジケータ、及びランダムアクセス情報のうち少なくとも１つを送信するように構成された送信モジュールを含む。
【０１０４】
任意選択で、UEが第１のサブフレームのシンボルの第２の部分で物理下りリンク制御チャネルを検出する動作は、以下の選択肢を含んでもよい。
物理下りリンク制御チャネルは、物理下りリンク制御チャネル（PDCCH：Physical  Downlink  Control  Channel）、拡張物理下りリンク制御チャネル（EPDCCH：Enhanced  PDCCH）、下りリンクACK/NACKチャネル、拡張下りリンクACK/NACKチャネル、及び物理制御フォーマットインジケータチャネル（PCFICH：Physical  Control  Format  Indicator  Channel）のうち少なくとも１つを含む。
【０１０５】
任意選択で、シンボルの第１の部分は、第１のサブフレームのシンボル、タイムスロット又はUpPTS領域である、及び／又はシンボルの第２の部分は、第１のサブフレームのシンボル、タイムスロット、DwPTS領域、又は従来の下りリンク制御チャネル領域である。
【０１０６】
任意選択で、UEが第１のサブフレームのシンボルの第２の部分で物理下りリンク制御チャネルを検出した後に、UEは、物理下りリンク制御チャネルが第１のサブフレームで下りリンクデータチャネルをスケジューリングする場合、UEのために下りリンクデータチャネルを受信するように構成された受信モジュールと、UEが第１のサブフレームのシンボルの第１の部分で第１の上りリンク信号を送信することをスキップすることを決定するように構成された送信モジュールとを更に含む。或いは、物理下りリンク制御チャネルが第１のサブフレームで下りリンクデータチャネルをスケジューリングする場合、UEのために第１のサブフレームのシンボルの第３の部分で下りリンクデータチャネルを受信するように構成された受信モジュールと、UEのために第１のサブフレームのシンボルの第１の部分で第１の上りリンク信号を送信するように構成された送信モジュールであり、シンボルの第１の部分及びシンボルの第３の部分は重複しない送信モジュールとを更に含む。或いは、物理下りリンク制御チャネルが第１のサブフレームで下りリンクデータチャネルをスケジューリングし、UEがシンボルの第１の部分で送信するように構成された第１の上りリンク信号が非周期的SRSである場合、UEのために第１のサブフレームのシンボルの第１の部分で非周期的SRSを送信し、UEのために第１のサブフレームで下りリンクデータチャネルを受信することをスキップするように構成された処理モジュールを更に含む。
【０１０７】
任意選択で、シンボルの第２の部分とシンボルの第１の部分との間にガード期間が存在する、及び／又は、シンボルの第３の部分とシンボルの第１の部分との間にガード期間が存在する。
【０１０８】
任意選択で、以下のステップが更に含まれてもよい。
【０１０９】
ステップ30：検出モジュールは、第１の上りリンク信号が第１の種類の上りリンク信号ではない場合、UEのために第１のサブフレームで物理下りリンク制御チャネルを検出することをスキップするように構成される。
【０１１０】
詳細は、UE側で使用される方法に特に記載されており、ここでは再び説明しない。
【０１１１】
本発明で提供されるUEは、前述のダイナミックTDDキャリア技術及び異なる上りリンク・下りリンク構成を有するキャリアのアグリゲーションの事例で、競合したサブフレームにおいて半二重UEのリソース利用を改善することができることが分かる。すなわち、UEは、同じサブフレームの重複しないシンボルで別々に受信及び送信することができる。
【０１１２】
本発明は、UEを更に提供し、UEのために第１のサブフレームを決定するように構成された決定モジュールと、UEのために第１のサブフレームの上りリンク・下りリンク構成が第１のキャリア及び第２のキャリアで異なることを決定するように構成された判断モジュールであり、第１のキャリア及び第２のキャリアはUEのために現在構成されているキャリアである判断モジュールと、UEのために第１のキャリアの第１のサブフレームで情報を送信又は受信し、UEのために第２のキャリアの第１のサブフレームで情報を送信又は受信することをスキップするように構成された処理モジュールとを含む。
【０１１３】
ステップ71：決定モジュールは、UEのために第１のサブフレームを決定するように構成される。
ステップ72：判断モジュールは、第１のサブフレームの上りリンク・下りリンク構成が第１のキャリア及び第２のキャリアで異なることを決定する。第１のキャリア及び第２のキャリアはUEのために現在構成されているキャリアである。第１のキャリア及び第２のキャリアは、基地局により送信されたRRCシグナリングを使用することにより、UEのために構成される。特に、第１のキャリアは、アンカーキャリアであり、第２のキャリアは、追加キャリアである。第１のキャリア及び第２のキャリアは、２つのTDDキャリアでもよく、１つのFDDキャリア及び１つのTDDキャリアでもよい。
【０１１４】
第１のサブフレームの上りリンク・下りリンク構成は、第１のキャリア及び第２のキャリアで異なる。例えば、第１のキャリアの第１のサブフレームは、下りリンクサブフレームであり、第２のキャリアの第１のサブフレームは、上りリンクサブフレームであり、逆も同様である。或いは、第１のキャリアの第１のサブフレームは、３つの部分、すなわち、DwPTS、GP及びUpPTSを含むTDD特別サブフレームであるが、第２のキャリアの第１のサブフレームは、上りリンクサブフレーム又は下りリンクサブフレームである。
【０１１５】
ステップ73：処理モジュールは、UEのために第１のキャリアの第１のサブフレームで情報を送信又は受信し、UEのために第２のキャリアの第１のサブフレームで情報を送信又は受信することをスキップするように構成される。
【０１１６】
UEは、アンカーキャリアにおける第１のサブフレームの送信構成を決定するために、アンカーキャリアに構成されたサブフレーム構成を使用してもよい。
【０１１７】
第１のキャリアがアンカーキャリアである場合、UEは、アンカーキャリアのサブフレーム構成において、アンカーキャリア（すなわち、第１のキャリア）の第１のサブフレームに構成された送信モードを使用してもよい。第１のサブフレームは、下りリンクサブフレームでもよく、上りリンクサブフレームでもよく、下りリンクタイムスロット（DwPTS）、ガード期間（GP）及び上りリンクタイムスロット（UpPTS）を含む特別サブフレームでもよい。更に、UEは、第１のキャリアで対応する上りリンク／下りリンク信号を送信又は受信する。
【０１１８】
任意選択で、UEは、第２のキャリアに対応する第１のサブフレームでいずれかの信号を送信又は受信することを完全にスキップしてもよい。
【０１１９】
任意選択で、UEは、第２のキャリアに対応する第１のサブフレームの送信方向に従って、第１のキャリアに対応する第１のサブフレームのタイムスロット構成に基づいて、第２のキャリアに対応する第１のサブフレームにおいて、下りリンク信号受信のための時間の長さと、上りリンク信号送信のための時間の長さとを決定する。下りリンク信号受信のための時間の長さは、第１のキャリアに対応する第１のサブフレームにおける下りリンク信号受信のための時間の長さ以下でもよいが、UEは、下りリンク信号のみを受信するか、上りリンク信号のみを送信するかを行う。
【０１２０】
任意選択で、第２のキャリアに対応する第１のサブフレームにおいて、UEは、下りリンク制御シグナリング（PDCCH）を受信してもよいが、下りリンクデータチャネルを受信することをスキップしてもよく、いずれかの上りリンクデータ送信を送信することをスキップしてもよい。
【０１２１】
任意選択で、第２のキャリアに対応する第１のサブフレームにおいて、UEは、下りリンク信号を受信して上りリンク信号を送信するために、第１のキャリアに対応する第１のサブフレームのタイムスロット構成と同じタイムスロット構成を使用してもよい。
【０１２２】
本発明は、基地局を更に提供し、
ステップ41：基地局のために第１のサブフレームを決定するように構成された決定モジュールであり、基地局は、第１のサブフレームで第１の上りリンク信号を送信するようにUEを構成する決定モジュールと、
ステップ42：基地局のために第１の上りリンク信号が第１の種類の上りリンク信号であることを決定するように構成された判断モジュールであり、第１の種類の上りリンク信号は、第１のサブフレームのシンボルの第１の部分を占有し、シンボルの第１の部分に含まれるシンボルの数は、第１のサブフレームに含まれるシンボルの数未満である判断モジュールと、
ステップ43：基地局のために第１のサブフレームのシンボルの第２の部分で下りリンク制御チャネルをUEに送信するように構成された送信モジュールであり、シンボルの第１の部分及びシンボルの第２の部分は時間ドメインで重複しない送信モジュールとを含む。
【０１２３】
任意選択で、第１の種類の上りリンク信号は、サウンディング参照信号（SRS）、上りリンク肯定応答／否定応答（ACK/NACK）情報、上りリンク復調用参照信号、上りリンクデータチャネル、チャネル状態情報、スケジューリング要求インジケータ、及びランダムアクセス情報のうち少なくとも１つを含む。
【０１２４】
任意選択で、第１のサブフレームのシンボルの第１の部分及びシンボルの第２の部分は、１つの時分割双方向（TDD：Dime  Duplexing  Division）キャリアにある。或いは、第１のサブフレームのシンボルの第１の部分は第１のキャリアにあり、第１のサブフレームのシンボルの第２の部分は第２のキャリアにあり、上りリンク／下りリンクサブフレーム構成は、第１のキャリア及び第２のキャリアで異なる。UEは、半二重UEである。
【０１２５】
任意選択で、第１のキャリア又は第２のキャリアの第１のサブフレームは、TDD特別サブフレームである。
【０１２６】
任意選択で、基地局は、第１のサブフレームのシンボルの第１の部分で第１の上りリンク信号を送信するようにUEを構成し、第１のサブフレームの前の時点で基地局により送信された上りリンクスケジューリング許可を使用することにより、基地局のために第１のサブフレームのシンボルの第１の部分で上りリンクデータチャネルを送信するようにUEを構成するように構成された構成モジュールを含む。或いは、第１のサブフレームの前の時点で基地局により送信された物理下りリンク制御チャネル及び／又は下りリンクデータチャネルを使用することにより、基地局のために第１のサブフレームのシンボルの第１の部分で上りリンク肯定応答／否定応答（ACK/NACK）情報を送信するようにUEを構成する構成モジュールを含む。或いは、第１のサブフレームの前の時点で基地局により送信された無線リソース制御（RRC）シグナリング、物理下りリンク制御チャネル又はブロードキャストシグナリングを使用することにより、基地局のために第１のサブフレームのシンボルの第１の部分でサウンディング参照信号（SRS：Sounding  Reference  Signal）、上りリンク復調用参照信号、チャネル状態情報、スケジューリング要求インジケータ、及びランダムアクセス情報のうち少なくとも１つを送信するようにUEを構成するように構成された構成モジュールを含む。
【０１２７】
任意選択で、基地局が第１のサブフレームのシンボルの第２の部分で物理下りリンク制御チャネルをUEに送信する動作は、以下の選択肢を含んでもよい。物理下りリンク制御チャネルは、物理下りリンク制御チャネル（PDCCH：Physical  Downlink  Control  Channel）、拡張物理下りリンク制御チャネル（EPDCCH：Enhanced  PDCCH）、下りリンクACK/NACKチャネル、拡張下りリンクACK/NACKチャネル、及び物理制御フォーマットインジケータチャネル（PCFICH：Physical  Control  Format  Indicator  Channel）のうち少なくとも１つを含む。
【０１２８】
任意選択で、シンボルの第１の部分は、第１のサブフレームのシンボル、タイムスロット又はUpPTS領域である、及び／又はシンボルの第２の部分は、第１のサブフレームのシンボル、タイムスロット、DwPTS領域、又は従来の下りリンク制御チャネル領域である。
【０１２９】
任意選択で、物理下りリンク制御チャネルは、下りリンクスケジューリング割り当てである。
【０１３０】
基地局が第１のサブフレームのシンボルの第２の部分で物理下りリンク制御チャネルをUEに送信した後に、基地局は、基地局のために第１のサブフレームで下りリンクデータチャネルをUEに送信するように構成された送信モジュールであり、下りリンクデータチャネルは、下りリンクスケジューリング割り当てにより指示又はスケジューリングされる送信モジュールと、基地局が第１のサブフレームのシンボルの第１の部分で第１の上りリンク信号を検出することをスキップすることを決定するように構成された受信モジュールとを更に含む。或いは、基地局のために第１のサブフレームのシンボルの第３の部分で下りリンクデータチャネルをUEに送信するように構成された送信モジュールであり、下りリンクデータチャネルは、下りリンクスケジューリング割り当てにより指示又はスケジューリングされ、シンボルの第３の部分及びシンボルの第１の部分は重複しない送信モジュールと、基地局のために第１のサブフレームのシンボルの第１の部分で第１の上りリンク信号を受信するように構成された受信モジュールとを更に含む。
【０１３１】
任意選択で、シンボルの第２の部分とシンボルの第１の部分との間にガード期間が存在する、及び／又は、シンボルの第３の部分とシンボルの第１の部分との間にガード期間が存在する。
【０１３２】
詳細は、基地局側で使用される方法に特に記載されており、ここでは再び説明しない。
【０１３３】
本発明は、基地局を更に提供し、基地局のために第１のサブフレームを決定するように構成された決定モジュールであり、第１のサブフレームの上りリンク・下りリンク構成は、第１のキャリア及び第２のキャリアで異なり、第１のキャリア及び第２のキャリアはUEのために現在構成されているキャリアである決定モジュールと、第１のキャリアの第１のサブフレームで、基地局のために、UEに情報を送信するか、UEにより送信された情報を受信するように構成され、第１のキャリアの第１のサブフレームで、基地局のために、UEに情報を送信することをスキップするか、UEにより送信された情報を受信することをスキップするように構成された処理モジュールとを含む。
【０１３４】
ステップ81：決定モジュールは、基地局のために第１のサブフレームを決定するように構成され、第１のキャリア及び第２のキャリアにおいて第１のサブフレームの上りリンク・下りリンク構成は異なり、第１のキャリア及び第２のキャリアはUEのために現在構成されているキャリアである。第１のサブフレームは、それぞれ第１のキャリア及び第２のキャリアの第１のサブフレームでもよく、この場合、第１のキャリア及び第２のキャリアは基地局により構成される。第１のキャリア及び第２のキャリアは、基地局により、２つのTDDキャリアとして構成されてもよく、１つのTDDキャリア及び１つのFDDキャリアとして構成されてもよい。特に、第１のキャリア及び第２のキャリアの第１のサブフレームの方向は、特に、第１のキャリアの第１のサブフレームが下りリンクタイムスロット（DwPTS）、ガード期間（GP）及び上りリンクタイムスロット（UpPTS）を含む特別サブフレームであり、第２のキャリアの第１のサブフレームが下りリンクサブフレームであることでもよく、逆でもよい。少なくとも第１のサブフレームのシンボルの一部は、第１のサブフレームが２つの異なるキャリアにあるときに異なる送信方向を有するため、上りリンク及び下りリンクサブフレームの構成が第１のキャリア及び第２のキャリアで異なることが分かる。
【０１３５】
ステップ82：処理モジュールは、第１のキャリアの第１のサブフレームで、基地局のために、UEに情報を送信するか、UEにより送信された情報を受信し、第１のキャリアの第１のサブフレームで、基地局のために、UEに情報を送信することをスキップするか、UEにより送信された情報を受信することをスキップするように構成される。
【０１３６】
第１のキャリア及び第２のキャリアは、RRCシグナリングを使用することにより、基地局によりUEのために構成される。特に、第１のキャリアは、アンカーキャリアであり、第２のキャリアは、追加キャリアである。第１のキャリア及び第２のキャリアは、２つのTDDキャリアでもよく、１つのFDDキャリア及び１つのTDDキャリアでもよい。
【０１３７】
第１のサブフレームの上りリンク・下りリンク構成は、第１のキャリア及び第２のキャリアで異なる。例えば、第１のキャリアの第１のサブフレームは、下りリンクサブフレームであり、第２のキャリアの第１のサブフレームは、上りリンクサブフレームであり、逆も同様である。或いは、第１のキャリアの第１のサブフレームは、３つの部分、すなわち、DwPTS、GP及びUpPTSを含むTDD特別サブフレームであるが、第２のキャリアの第１のサブフレームは、上りリンクサブフレーム又は下りリンクサブフレームである。
【０１３８】
基地局は、アンカーキャリアにおける第１のサブフレームの送信構成を決定するために、アンカーキャリアに構成されたサブフレーム構成を使用する。
【０１３９】
第１のキャリアがアンカーキャリアである場合、UEは、アンカーキャリアのサブフレーム構成において、アンカーキャリア（すなわち、第１のキャリア）の第１のサブフレームに構成された送信モードを使用してもよい。第１のサブフレームは、下りリンクサブフレームでもよく、上りリンクサブフレームでもよく、下りリンクタイムスロット（DwPTS）、ガード期間（GP）及び上りリンクタイムスロット（UpPTS）を含む特別サブフレームでもよい。更に、基地局は、第１のキャリアで対応する上りリンク／下りリンク信号を送信又は受信する。
【０１４０】
任意選択で、基地局は、第２のキャリアに対応する第１のサブフレームでいずれかの信号を送信又は受信することを完全にスキップしてもよい。
【０１４１】
任意選択で、基地局は、第２のキャリアに対応する第１のサブフレームの送信方向に従って、第１のキャリアに対応する第１のサブフレームのタイムスロット構成に基づいて、第２のキャリアに対応する第１のサブフレームにおいて、下りリンク信号受信のための時間の長さと、上りリンク信号送信のための時間の長さとを決定してもよい。下りリンク信号受信のための時間の長さは、第１のキャリアに対応する第１のサブフレームにおける下りリンク信号受信のための時間の長さ以下でもよく、基地局は、下りリンク信号のみを受信するか、上りリンク信号のみを送信するかを行う。
【０１４２】
任意選択で、第２のキャリアに対応する第１のサブフレームにおいて、基地局は、下りリンク制御シグナリング（PDCCH）を送信してもよいが、下りリンクデータチャネルを送信することをスキップしてもよく、いずれかの上りリンクデータ送信を受信することをスキップしてもよい。
【０１４３】
任意選択で、第２のキャリアに対応する第１のサブフレームにおいて、基地局は、下りリンク信号を送信して上りリンク信号を受信するために、第１のキャリアに対応する第１のサブフレームのタイムスロット構成と同じタイムスロット構成を使用してもよい。
【０１４４】
本発明で提供される基地局は、前述のダイナミックTDDキャリア技術及び異なる上りリンク・下りリンク構成を有するキャリアのアグリゲーションの事例で、競合したサブフレームにおいて半二重UEのリソース利用を改善することができることが分かる。すなわち、UEは、同じサブフレームの重複しないシンボルで別々に受信及び送信することができる。
【０１４５】
本発明の実施例の技術的対策は、GSM（登録商標）（Global  System  for  Mobile  Communication）システム、符号分割多重アクセス（CDMA：Code  Division  Multiple  Access）システム、広帯域符号分割多重アクセス（WCDMA（登録商標）：Wideband  Code  Division  Multiple  Access）システム、GPRS（General  Packet  Radio  Service）システム、LTE（Long  Term  Evolution）システム、LTE周波数分割双方向（FDD：Frequency  Division  Duplex）システム、LTE時分割双方向（TDD：Time  Division  Duplex）、UMTS（Universal  Mobile  Telecommunication  System）、WiMAX（Worldwide  Interoperability  for  Microwave  Access）通信システム等のような様々な通信システムに適用されてもよいことが分かる。
【０１４６】
また、本発明の実施例では、ユーザ装置（UE：User  Equipment）は、端末（Terminal）、移動局（MS：Mobile  Station）、移動端末（Mobile  Terminal）等と呼ばれてもよいことが分かる。ユーザ装置は、無線アクセスネットワーク（RAN：Radio  Access  Network）を通じて１つ以上のコアネットワークと通信してもよい。例えば、ユーザ装置は、移動電話（“セルラ”電話とも呼ばれる）でもよく、移動端末を備えたコンピュータでもよい。例えば、ユーザ装置はまた、無線アクセスネットワークと音声及び／又はデータを交換するポータブル、ポケットサイズ、ハンドヘルド、コンピュータ内蔵、又は車内の移動装置でもよい。
【０１４７】
本発明の実施例では、基地局は、GSM（登録商標）又はCDMAにおける基地局（BTS：Base  Transceiver  Station）でもよく、また、WCDMA（登録商標）における基地局（NB：NodeB）でもよく、更に、LTEにおけるevolved  Node  B（eNB又はe-NodeB）でもよい。これは本発明で限定されない。説明を容易にするために、以下の実施例は、基地局（eNB）及びユーザ装置（UE）を例として使用する。
【０１４８】
本発明で提供される複数の実施例では、開示のシステム、装置及び方法は、他の方法で実装されてもよいことが分かる。例えば、記載の装置の実施例は、単なる例である。例えば、ユニットの分割は、単に論理的な機能分割であり、実際の実装では他の分割でもよい。例えば、複数のユニット又はモジュールは、組み合わされてもよく、他のシステムに統合されてもよく、いくつかの機能は無視されてもよく実行されなくてもよい。
【０１４９】
当業者は、方法の実施例のステップの全部又は一部が関連するハードウェアに命令するプログラムにより実施されてもよいことを理解し得る。プログラムは、コンピュータ読み取り可能記憶媒体に格納されてもよい。プログラムが実行する場合、方法の実施例のステップが実行される。前述の記憶媒体は、ROM、RAM、磁気ディスク又は光ディスクのように、プログラムコードを格納することができるいずれかの媒体を含む。
【０１５０】
前述の説明は、本発明の単なる特定の実装方法であるが、本発明の保護範囲を限定することを意図するものではない。本発明に開示された技術範囲内で当業者により容易に理解できる如何なる変更又は置換も、本発明の保護範囲内に入るものとする。従って、本発明の保護範囲は、特許請求の範囲の保護範囲に従うものとする。
【図１】
2015537449.tif 000003
【図２】
2015537449.tif 000004
【図７】
2015537449.tif 000005
【図８】
2015537449.tif 000006
【図３】
2015537449.tif 000007
【図４】
2015537449.tif 000008
【図５】
2015537449.tif 000009
【図６】
2015537449.tif 000010
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
ユーザ装置（UE）により、第１のサブフレームを決定するステップと、
前記UEにより、前記第１のサブフレームで送信される第１の上りリンク信号を決定するステップと、
前記UEにより、前記第１の上りリンク信号が第１の種類の上りリンク信号であるか否かを決定するステップであり、前記第１の種類の上りリンク信号は、前記第１のサブフレームのシンボルの第１の部分を占有し、前記シンボルの第１の部分に含まれるシンボルの数は、前記第１のサブフレームに含まれるシンボルの数未満であるステップと、
前記第１の上りリンク信号が第１の種類の上りリンク信号である場合、前記UEにより、前記第１のサブフレームのシンボルの第２の部分で下りリンク制御チャネルを検出するステップであり、前記シンボルの第１の部分及び前記シンボルの第２の部分は時間ドメインで重複しないステップと
を有する情報送信方法。
【請求項２】
前記第１の種類の上りリンク信号は、サウンディング参照信号（SRS）、上りリンク肯定応答／否定応答（ACK/NACK）情報、上りリンク復調用参照信号、上りリンクデータチャネル、チャネル状態情報、スケジューリング要求インジケータ、及びランダムアクセス情報のうち少なくとも１つを有する、請求項１に記載の方法。
【請求項３】
前記第１のサブフレームの前記シンボルの第１の部分及び前記シンボルの第２の部分は、１つの時分割双方向（TDD）キャリアにある、或いは
前記第１のサブフレームの前記シンボルの第１の部分は第１のキャリアにあり、前記第１のサブフレームの前記シンボルの第２の部分は第２のキャリアにあり、上りリンク／下りリンクサブフレーム構成は、前記第１のキャリア及び前記第２のキャリアで異なり、前記UEは、半二重UEである、請求項１又は２に記載の方法。
【請求項４】
前記第１のキャリア又は前記第２のキャリアの前記第１のサブフレームは、TDD特別サブフレームである、請求項３に記載の方法。
【請求項５】
前記UEにより、前記第１のサブフレームで送信される第１の上りリンク信号を決定することは、
前記UEにより、前記第１のサブフレームの前の時点で基地局により送信された上りリンクスケジューリング許可に従って、前記第１のサブフレームの前記シンボルの第１の部分で上りリンクデータチャネルを送信すること、或いは
前記UEにより、前記第１のサブフレームの前の時点で基地局により送信された物理下りリンク制御チャネル及び／又は下りリンクデータチャネルに従って、前記第１のサブフレームの前記シンボルの第１の部分で上りリンク肯定応答／否定応答（ACK/NACK）情報を送信すること、或いは
前記UEにより、前記第１のサブフレームの前の時点で基地局により送信された無線リソース制御（RRC）シグナリング、物理下りリンク制御チャネル又はブロードキャストシグナリングに従って、前記第１のサブフレームの前記シンボルの第１の部分でサウンディング参照信号（SRS）、上りリンク復調用参照信号、チャネル状態情報、スケジューリング要求インジケータ、及びランダムアクセス情報のうち少なくとも１つを送信することを有する、請求項１ないし４のうちいずれか１項に記載の方法。
【請求項６】
下りリンク制御チャネルを検出することは、物理下りリンク制御チャネル（PDCCH）、拡張物理下りリンク制御チャネル（EPDCCH）、下りリンクACK/NACKチャネル、拡張下りリンクACK/NACKチャネル、及び物理制御フォーマットインジケータチャネル（PCFICH）のうち少なくとも１つを検出することを有する、請求項１ないし５のうちいずれか１項に記載の方法。
【請求項７】
前記シンボルの第１の部分は、前記第１のサブフレームのシンボル、タイムスロット又は上りリンクパイロットタイムスロット（UpPTS）領域である、及び／又は
前記シンボルの第２の部分は、前記第１のサブフレームのシンボル、タイムスロット、下りリンクパイロットタイムスロット（DwPTS）領域、又は従来の下りリンク制御チャネル領域である、請求項１ないし６のうちいずれか１項に記載の方法。
【請求項８】
前記UEにより、前記第１のサブフレームのシンボルの第２の部分で下りリンク制御チャネルを検出した後に、
前記下りリンク制御チャネルが前記第１のサブフレームで下りリンクデータチャネルをスケジューリングする場合、前記UEにより、前記下りリンクデータチャネルを受信し、前記UEにより、前記第１のサブフレームの前記シンボルの第１の部分で前記第１の上りリンク信号を送信することをスキップするステップ、又は
前記下りリンク制御チャネルが前記第１のサブフレームで下りリンクデータチャネルをスケジューリングする場合、前記UEにより、前記第１のサブフレームのシンボルの第３の部分で前記下りリンクデータチャネルを受信し、前記UEにより、前記第１のサブフレームの前記シンボルの第１の部分で前記第１の上りリンク信号を送信するステップであり、前記シンボルの第１の部分及び前記シンボルの第３の部分は重複しないステップを更に有する、請求項１ないし７のうちいずれか１項に記載の方法。
【請求項９】
基地局により、第１のサブフレームを決定するステップと、
前記基地局により、前記第１のサブフレームで第１の上りリンク信号を送信するようにユーザ装置（UE）を構成するステップと、
前記基地局により、前記第１の上りリンク信号が第１の種類の上りリンク信号であるか否かを決定するステップであり、前記第１の種類の上りリンク信号は、前記第１のサブフレームのシンボルの第１の部分を占有し、前記シンボルの第１の部分に含まれるシンボルの数は、前記第１のサブフレームに含まれるシンボルの数未満であるステップと、
前記第１の上りリンク信号が第１の種類の上りリンク信号である場合、前記基地局により、前記第１のサブフレームのシンボルの第２の部分で下りリンク制御チャネルを前記UEに送信するステップであり、前記シンボルの第１の部分及び前記シンボルの第２の部分は時間ドメインで重複しないステップと
を有する情報送信方法。
【請求項１０】
前記第１の種類の上りリンク信号は、サウンディング参照信号（SRS）、上りリンク肯定応答／否定応答（ACK/NACK）情報、上りリンク復調用参照信号、上りリンクデータチャネル、チャネル状態情報、スケジューリング要求インジケータ、及びランダムアクセス情報のうち少なくとも１つを有する、請求項９に記載の方法。
【請求項１１】
前記第１のサブフレームの前記シンボルの第１の部分及び前記シンボルの第２の部分は、１つの時分割双方向（TDD）キャリアにある、或いは
前記第１のサブフレームの前記シンボルの第１の部分は第１のキャリアにあり、前記第１のサブフレームの前記シンボルの第２の部分は第２のキャリアにあり、上りリンク／下りリンクサブフレーム構成は、前記第１のキャリア及び前記第２のキャリアで異なり、前記UEは、半二重UEである、請求項９又は１０に記載の方法。
【請求項１２】
第１のキャリア又は第２のキャリアの前記第１のサブフレームは、TDD特別サブフレームである、請求項１１に記載の方法。
【請求項１３】
前記シンボルの第１の部分は、前記第１のサブフレームのシンボル、タイムスロット又は上りリンクパイロットタイムスロット（UpPTS）領域である、及び／又は
前記シンボルの第２の部分は、前記第１のサブフレームのシンボル、タイムスロット、下りリンクパイロットタイムスロット（DwPTS）領域、又は従来の下りリンク制御チャネル領域である、請求項９ないし１２のうちいずれか１項に記載の方法。
【請求項１４】
ユーザ装置（UE）のために第１のサブフレームを決定するように構成された決定モジュールと、
第１の上りリンク信号が第１の種類の上りリンク信号であるか否かを決定するように構成された判断モジュールであり、前記第１の種類の上りリンク信号は、前記第１のサブフレームのシンボルの第１の部分を占有し、前記シンボルの第１の部分に含まれるシンボルの数は、前記第１のサブフレームに含まれるシンボルの数未満である判断モジュールと、
前記第１の上りリンク信号が前記第１の種類の上りリンク信号である場合、前記第１のサブフレームの前記シンボルの第２の部分で下りリンク制御チャネルを検出するように構成された検出モジュールであり、前記シンボルの第１の部分及び前記シンボルの第２の部分は時間ドメインで重複しない検出モジュールと
を有するUE。
【請求項１５】
前記第１の種類の上りリンク信号は、サウンディング参照信号（SRS）、上りリンク肯定応答／否定応答（ACK/NACK）情報、上りリンク復調用参照信号、上りリンクデータチャネル、チャネル状態情報、スケジューリング要求インジケータ、及びランダムアクセス情報のうち少なくとも１つを有する、請求項１４に記載のUE。
【請求項１６】
前記第１のサブフレームの前記シンボルの第１の部分及び前記シンボルの第２の部分は、１つの時分割双方向（TDD）キャリアにある、或いは
前記第１のサブフレームの前記シンボルの第１の部分は第１のキャリアにあり、前記第１のサブフレームの前記シンボルの第２の部分は第２のキャリアにあり、上りリンク／下りリンクサブフレーム構成は、前記第１のキャリア及び前記第２のキャリアで異なり、前記UEは、半二重UEである、請求項１４又は１５に記載のUE。
【請求項１７】
第１のキャリア又は第２のキャリアの前記第１のサブフレームは、TDD特別サブフレームである、請求項１６に記載のUE。
【請求項１８】
前記UEは、前記第１のサブフレームで前記第１の上りリンク信号を送信するように構成され、前記UEは、
前記UEが前記第１のサブフレームの前の時点で基地局により送信された上りリンクスケジューリング許可を使用することにより前記基地局により構成されている場合、前記第１のサブフレームの前記シンボルの第１の部分で上りリンクデータチャネルを送信するように構成された送信モジュール、或いは
前記UEが前記第１のサブフレームの前の時点で基地局により送信された物理下りリンク制御チャネル及び／又は下りリンクデータチャネルを使用することにより前記基地局により構成されている場合、前記第１のサブフレームの前記シンボルの第１の部分で上りリンク肯定応答／否定応答（ACK/NACK）情報を送信するように構成された送信モジュール、或いは
前記UEが前記第１のサブフレームの前の時点で基地局により送信された無線リソース制御（RRC）シグナリング、物理下りリンク制御チャネル又はブロードキャストシグナリングを使用することにより前記基地局により構成されている場合、前記第１のサブフレームの前記シンボルの第１の部分でサウンディング参照信号（SRS）、上りリンク復調用参照信号、チャネル状態情報、スケジューリング要求インジケータ、及びランダムアクセス情報のうち少なくとも１つを送信するように構成された送信モジュールを有する、請求項１４ないし１７のうちいずれか１項に記載のUE。
【請求項１９】
前記検出モジュールは、物理下りリンク制御チャネル（PDCCH）、拡張物理下りリンク制御チャネル（EPDCCH、Enhanced  PDCCH）、下りリンクACK/NACKチャネル、拡張下りリンクACK/NACKチャネル、及び物理制御フォーマットインジケータチャネル（PCFICH）のうち少なくとも１つを有する物理下りリンク制御チャネルを検出するように構成される、請求項１４ないし１８のうちいずれか１項に記載のUE。
【請求項２０】
前記シンボルの第１の部分は、前記第１のサブフレームのシンボル、タイムスロット又は上りリンクパイロットタイムスロット（UpPTS）領域である、及び／又は
前記シンボルの第２の部分は、前記第１のサブフレームのシンボル、タイムスロット、下りリンクパイロットタイムスロット（DwPTS）領域、又は従来の下りリンク制御チャネル領域である、請求項１４ないし１９のうちいずれか１項に記載のUE。
【請求項２１】
前記UEにより、前記第１のサブフレームの前記シンボルの第２の部分で物理下りリンク制御チャネルを検出した後に、
前記物理下りリンク制御チャネルが前記第１のサブフレームで下りリンクデータチャネルをスケジューリングする場合、前記下りリンクデータチャネルを受信するように構成された受信モジュール、及び前記UEが前記第１のサブフレームの前記シンボルの第１の部分で前記第１の上りリンク信号を送信することをスキップすることを決定するように構成された送信モジュール、又は
前記物理下りリンク制御チャネルが前記第１のサブフレームで下りリンクデータチャネルをスケジューリングする場合、前記第１のサブフレームのシンボルの第３の部分で前記下りリンクデータチャネルを受信するように構成された受信モジュール、及び前記第１のサブフレームの前記シンボルの第１の部分で前記第１の上りリンク信号を送信するように構成された送信モジュールであり、前記シンボルの第１の部分及び前記シンボルの第３の部分は重複しない送信モジュールを更に有する、請求項１４ないし２０のうちいずれか１項に記載のUE。
【請求項２２】
基地局のために第１のサブフレームを決定するように構成された決定モジュールと、
第１の上りリンク信号が第１の種類の上りリンク信号であるか否かを決定するように構成された判断モジュールであり、前記第１の種類の上りリンク信号は、前記第１のサブフレームのシンボルの第１の部分を占有し、前記シンボルの第１の部分に含まれるシンボルの数は、前記第１のサブフレームに含まれるシンボルの数未満である判断モジュールと、
前記第１の上りリンク信号が第１の種類の上りリンク信号である場合、前記第１のサブフレームのシンボルの第２の部分で下りリンク制御チャネルをユーザ装置（UE）に送信するように構成された送信モジュールであり、前記シンボルの第１の部分及び前記シンボルの第２の部分は時間ドメインで重複しない送信モジュールと
を有する基地局。
【請求項２３】
前記第１の種類の上りリンク信号は、サウンディング参照信号（SRS）、上りリンク肯定応答／否定応答（ACK/NACK）情報、上りリンク復調用参照信号、上りリンクデータチャネル、チャネル状態情報、スケジューリング要求インジケータ、及びランダムアクセス情報のうち少なくとも１つを有する、請求項２２に記載の基地局。
【請求項２４】
前記第１のサブフレームの前記シンボルの第１の部分及び前記シンボルの第２の部分は、１つの時分割双方向（TDD）キャリアにある、或いは
前記第１のサブフレームの前記シンボルの第１の部分は第１のキャリアにあり、前記第１のサブフレームの前記シンボルの第２の部分は第２のキャリアにあり、上りリンク／下りリンクサブフレーム構成は、前記第１のキャリア及び前記第２のキャリアで異なり、前記UEは、半二重UEである、請求項２２又は２３に記載の基地局。
【請求項２５】
第１のキャリア又は第２のキャリアの前記第１のサブフレームは、TDD特別サブフレームである、請求項２４に記載の基地局。
【請求項２６】
前記基地局により、前記第１のサブフレームで前記第１の上りリンク信号を送信するように前記UEを構成することは、
前記第１のサブフレームの前の時点で前記基地局により送信された上りリンクスケジューリング許可を使用することにより、前記第１のサブフレームの前記シンボルの第１の部分で上りリンクデータチャネルを送信するように前記UEを構成するように構成された構成モジュール、或いは
前記第１のサブフレームの前の時点で前記基地局により送信された物理下りリンク制御チャネル及び／又は下りリンクデータチャネルを使用することにより、前記第１のサブフレームの前記シンボルの第１の部分で上りリンク肯定応答／否定応答（ACK/NACK）情報を送信するように前記UEを構成するように構成された構成モジュール、或いは
前記第１のサブフレームの前の時点で前記基地局により送信された無線リソース制御（RRC）シグナリング、物理下りリンク制御チャネル又はブロードキャストシグナリングを使用することにより、前記第１のサブフレームの前記シンボルの第１の部分でサウンディング参照信号（SRS）、上りリンク復調用参照信号、チャネル状態情報、スケジューリング要求インジケータ、及びランダムアクセス情報のうち少なくとも１つを送信するように前記UEを構成するように構成された構成モジュールを有する、請求項２２ないし２５のうちいずれか１項に記載の基地局。
【請求項２７】
前記送信モジュールは、物理下りリンク制御チャネル（PDCCH）、拡張物理下りリンク制御チャネル（Enhanced  PDCCH、EPDCCH）、下りリンクACK/NACKチャネル、拡張下りリンクACK/NACKチャネル、及び物理制御フォーマットインジケータチャネル（PCFICH）のうち少なくとも１つを有する物理下りリンク制御チャネルを送信するように構成される、請求項２２ないし２６のうちいずれか１項に記載の基地局。
【請求項２８】
前記シンボルの第１の部分は、前記第１のサブフレームのシンボル、タイムスロット又は上りリンクパイロットタイムスロット（UpPTS）領域である、及び／又は
前記シンボルの第２の部分は、前記第１のサブフレームのシンボル、タイムスロット、下りリンクパイロットタイムスロット（DwPTS）領域、又は従来の下りリンク制御チャネル領域である、請求項２２ないし２７のうちいずれか１項に記載の基地局。
【請求項２９】
請求項１４ないし２１のうちいずれか１項に記載のユーザ装置と、
請求項２２ないし２８のうちいずれか１項に記載の基地局と
を有する通信システム。
【手続補正２】
【補正対象書類名】明細書
【補正対象項目名】全文
【補正方法】変更
【補正の内容】
【発明の詳細な説明】
【技術分野】
【０００１】
本発明は、通信分野に関し、特に無線通信分野における情報送信に関する。
【背景技術】
【０００２】
無線通信システムの双方向モードは、時分割双方向（TDD：Time  Division  Duplex）及び周波数分割双方向（FDD：Frequency  Division  Duplex）を含む。１つのTDDキャリアでは、UEは、同時に情報を受信及び送信することはできない。これは、上りリンク送信又は下りリンク送信のいずれかが所与の時点で許可されることを意味する。FDDシステムはまた、全二重FDDと半二重FDDとに分類され得る。これらの双方は、一対のキャリア（すなわち、１つの上りリンクキャリア及び１つの下りリンクキャリア）を有する。全二重FDDでは、UEは、同時に一対の上りリンク及び下りリンクキャリアで情報を別々に受信及び送信することができる。しかし、半二重FDDでは、UEは、所与の時点で一方向のキャリアのみを使用することができる。これは、上りリンクキャリア又は下りリンクキャリアのいずれかが使用されることを意味する。
【０００３】
無線通信システムでは、ユーザ装置（UE：User  Equipment）のピークレートを改善するために、キャリアアグリゲーション技術が使用されることがある。具体的に言えば、１つのUEが使用するための複数のキャリアが一緒に構成されることがある。複数のキャリアは、複数のFDDキャリアでもよく、複数のTDDキャリアでもよい。複数のキャリアが複数のTDDキャリアである場合、複数のTDDキャリアの上りリンク・下りリンク構成は同じである。
【０００４】
ダイナミックTDDキャリア技術が、将来の進化した無線通信システムに導入される可能性がある。特に、既存のTDDキャリア技術では、TDDキャリアの上りリンク及び下りリンクサブフレームの双方は、ブロードキャストシグナリングを使用することにより構成され、上りリンク及び下りリンクサブフレームの間の切り替えは遅く、或いは全く行われないことすらある。しかし、ダイナミックTDDキャリア技術では、ダイナミックTDDキャリアのいくつかのサブフレーム又は全てのサブフレームの方向は、UEのサービス要件に従って基地局により動的に決定され得る。すなわち、１つのサブフレームは、上りリンクサブフレーム又は下りリンクサブフレームに動的に変更され得る。明らかに、UEは、同時に情報を受信又は送信することは依然としてできない。
【０００５】
キャリアの上りリンク・下りリンク構成が異なるキャリアアグリゲーション技術も、将来の進化した無線通信システムに導入される可能性がある。特に、例えば、２つのTDDキャリアがUEに構成されることがあり、２つのTDDキャリアのTDD上りリンク・下りリンク構成は異なる。他の例では、１つのFDDキャリアと１つのTDDキャリアがアグリゲーションされることがあり、２つのキャリアの上りリンク・下りリンク構成も異なる。この場合、いくつかのサブフレームに衝突したサブフレームが存在する。すなわち、衝突したサブフレームは、１つのTDDキャリアの上りリンクサブフレームになり、衝突したサブフレームは同時に他のTDDキャリアの下りリンクサブフレームになる。従って、衝突したサブフレームでは、２つのキャリアでの同時の送信及び受信をサポートしないUE、すなわち、半二重UEは、１つのキャリアの衝突したサブフレームで情報を送信するか、他のキャリアの衝突したサブフレームで情報を受信するかのいずれかを行う。
【０００６】
半二重UEが同時の受信及び送信を実行できない前述の問題は、前述のダイナミックTDDキャリア及び異なる上りリンク・下りリンク構成を有するキャリアのアグリゲーションの事例で生じる可能性があり、リソース利用を損なう。本発明は、前述の事例においてどのように半二重UEによるリソース利用を改善するかについて問題を解決することを対象とする。
【発明の概要】
【０００７】
本発明は、情報送信方法を提供し、
ユーザ装置（UE）により、第１のサブフレームを決定し、
第１のサブフレームで第１の上りリンク信号を送信するようにUEを構成し、
UEにより、第１の上りリンク信号が第１の種類の上りリンク信号であることを決定し、第１の種類の上りリンク信号は、第１のサブフレームのシンボルの第１の部分を占有し、シンボルの第１の部分に含まれるシンボルの数は、第１のサブフレームに含まれるシンボルの数未満であり、
UEにより、第１のサブフレームのシンボルの第２の部分で下りリンク制御チャネルを検出し、シンボルの第１の部分及びシンボルの第２の部分は時間ドメインで重複しないことを含む。
【０００８】
本発明は、情報送信方法を更に提供し、
基地局により、第１のサブフレームを決定し、
基地局により、第１のサブフレームで第１の上りリンク信号を送信するようにUEを構成し、
基地局により、第１の上りリンク信号が第１の種類の上りリンク信号であることを決定し、第１の種類の上りリンク信号は、第１のサブフレームのシンボルの第１の部分を占有し、シンボルの第１の部分に含まれるシンボルの数は、第１のサブフレームに含まれるシンボルの数未満であり、
基地局により、第１のサブフレームのシンボルの第２の部分で下りリンク制御チャネルをUEに送信し、シンボルの第１の部分及びシンボルの第２の部分は時間ドメインで重複しないことを含む。
【０００９】
本発明は、UEを更に提供し、
UEのために第１のサブフレームを決定するように構成された決定モジュールと、
第１の上りリンク信号がUEのための第１の種類の上りリンク信号であることを決定するように構成された判断モジュールであり、第１の種類の上りリンク信号は、第１のサブフレームのシンボルの第１の部分を占有し、シンボルの第１の部分に含まれるシンボルの数は、第１のサブフレームに含まれるシンボルの数未満である判断モジュールと、
UEのために第１のサブフレームのシンボルの第２の部分で下りリンク制御チャネルを検出するように構成された検出モジュールであり、シンボルの第１の部分及びシンボルの第２の部分は時間ドメインで重複しない検出モジュールとを含む。
【００１０】
本発明は、基地局を更に提供し、
基地局のために第１のサブフレームを決定するように構成された決定モジュールと、
第１の上りリンク信号が基地局のための第１の種類の上りリンク信号であることを決定するように構成された判断モジュールであり、第１の種類の上りリンク信号は、第１のサブフレームのシンボルの第１の部分を占有し、シンボルの第１の部分に含まれるシンボルの数は、第１のサブフレームに含まれるシンボルの数未満である判断モジュールと、
基地局のために第１のサブフレームのシンボルの第２の部分で下りリンク制御チャネルをUEに送信するように構成された送信モジュールであり、シンボルの第１の部分及びシンボルの第２の部分は時間ドメインで重複しない送信モジュールとを含む。
【図面の簡単な説明】
【００１１】
【図１】本発明の実施例によるUE側の情報送信方法
【図２】本発明の実施例による基地局側の情報送信方法
【図３】本発明の実施例による情報送信方法の適用事例図１
【図４】本発明の実施例による情報送信方法の適用事例図２
【図５】本発明の実施例による情報送信方法の適用事例図３
【図６】本発明の実施例による情報送信方法の適用事例図４
【図７】本発明の実施例によるUE
【図８】本発明の実施例による基地局
【発明を実施するための形態】
【００１２】
本発明の実施例又は従来技術の技術的対策を明確に説明するために、以下に、実施例又は従来技術を説明するために必要な添付図面を簡単に紹介する。明らかに以下の説明における添付図面は、単に本発明のいくつかの実施例を示しているに過ぎず、当業者は、創造的取り組みを行うことなく、依然としてこれらの添付図面から他の図面を導くことができる。
【００１３】
以下に、本発明の実施例の添付図面を参照して本発明の実施例の技術的対策を明確且つ完全に説明する。明らかに、記載の実施例は、本発明の実施例の全てではなく、一部に過ぎない。創造的取り組みを行うことなく本発明の実施例に基づいて当業者により得られる全ての他の実施例は、本発明の保護範囲内に入るものとする。
【００１４】
本発明は、情報送信方法を提供する。この方法は、ユーザ装置（UE）側で使用されてもよく、以下を含む。
【００１５】
ステップ11：UEは、第１のサブフレームを決定する。
【００１６】
本発明の実施例では、第１のサブフレームは、TDDキャリアの第１のサブフレームでもよく、この場合、TDDキャリアのみがUEのために基地局により構成される。或いは、第１のサブフレームは、それぞれ第１のキャリア及び第２のキャリアの第１のサブフレームでもよく、この場合、第１のキャリア及び第２のキャリアがUEのために基地局により構成される。第１のキャリア及び第２のキャリアは、２つのTDDキャリアでもよく、１つのTDDキャリア及び１つのFDDキャリアでもよい。特に、第１のキャリア及び第２のキャリアの第１のサブフレームの方向は、特に、第１のキャリアの第１のサブフレームが下りリンクサブフレームであり、第２のキャリアの第１のサブフレームが上りリンクサブフレームであることでもよく、逆でもよい。少なくとも第１のサブフレームは、２つの異なるキャリアの場合に異なる送信方向を有するため、上りリンク及び下りリンクサブフレームの構成が第１のキャリア及び第２のキャリアで異なることが分かる。或いは、第１のキャリア及び第２のキャリアの中で少なくとも１つのキャリアの第１のサブフレームはTDD特別サブフレームである。特別サブフレームは、３つの部分、すなわち、下りリンクパイロットタイムスロット、ガード期間及び上りリンクパイロットタイムスロットを含む。
【００１７】
ステップ12：UEは、第１のサブフレームで第１の上りリンク信号を送信するように構成される。
【００１８】
UEが第１のサブフレームのシンボルの第１の部分で第１の上りリンク信号を送信するように構成される動作は、以下の選択肢を含んでもよい。
【００１９】
任意選択で、UEは、第１のサブフレームの前の時点で基地局により送信された上りリンクスケジューリング許可を使用することにより、第１のサブフレームのシンボルの第１の部分で上りリンクデータチャネルを送信するように基地局により構成される。特に、第１の上りリンク信号は、上りリンクデータチャネルであり、例えば、物理上りリンク共有チャネル（PUSCH：Physical  Uplink  Shared  Channel）である。サブフレームnで送信されるPUSCHは、サブフレームnの前のサブフレームn-kで基地局により送信された上りリンクスケジューリング許可を使用することにより構成又はスケジューリングされる。ただし、kは4以上の自然数であり、上りリンクスケジューリング許可は、一種の物理下りリンク制御チャネルである。
【００２０】
任意選択で、UEは、第１のサブフレームの前の時点で基地局により送信された物理下りリンク制御チャネル及び／又は下りリンクデータチャネルを使用することにより、第１のサブフレームのシンボルの第１の部分で上りリンク肯定応答／否定応答（ACK/NACK）情報を送信するように基地局により構成される。特に、第１の上りリンク信号は、上りリンクACK/NACKである。サブフレームnで送信される上りリンクACK/NACKは、サブフレームnの前のサブフレームn-kで基地局によりスケジューリングされた下りリンクデータチャネルに関連付けられる。ただし、kは4以上の自然数である。下りリンクデータチャネルは、物理下りリンク共有チャネル（PDSCH：Physical  Downlink  Shared  Channel）でもよく、PDSCHは、基地局により送信された下りリンクスケジューリング割り当てによりスケジューリングされ、下りリンクスケジューリング割り当ては、一種の物理下りリンク制御チャネルである。
【００２１】
任意選択で、UEは、第１のサブフレームの前の時点で基地局により送信された無線リソース制御（RRC）シグナリング、物理下りリンク制御チャネル又はブロードキャストシグナリングを使用することにより、第１のサブフレームのシンボルの第１の部分でサウンディング参照信号（SRS：Sounding  Reference  Signal）、上りリンク復調用参照信号、チャネル状態情報、スケジューリング要求インジケータ、及びランダムアクセス情報のうち少なくとも１つを送信するように基地局により構成される。特に、SRSは、周期的SRSと、非周期的SRSとに分類され、前者は、RRC個別シグナリングを使用することにより構成され、後者は、物理下りリンク制御チャネルによりトリガー又は構成され、１つのサブフレームのシンボルの一部のみで（例えば、最後のシンボル又は上りリンク復調用参照信号が位置するシンボルで）送信される。チャネル状態情報（CSI：Channel  State  Information）は、周期的CSIと、非周期的CSIとに分類され、前者は、RRC個別シグナリングを使用することにより構成され、後者は、物理下りリンク制御チャネルによりトリガー又は構成される。CSIは、チャネル品質インジケータ（Channel  Quality  Indicator）、ランクインジケータ（RI：Rank  Indicator）、プリコーディング行列インジケータ（PMI：Precoding  Matrix  Indicator）等を特に含んでもよい。CSIは、第１のサブフレームのシンボルの第１の部分で（例えば、タイムスロット、すなわち、半サブフレームで）送信されてもよい。スケジューリング要求インジケータは、第１のサブフレームのシンボルの第１の部分で（例えば、タイムスロット、すなわち、半サブフレームで）送信されてもよい。ランダムアクセス（RA：Random  Access）情報は、競合のRA情報と、競合なしのRA情報とに分類され、前者は、ブロードキャストシグナリングを使用することにより構成され、後者は、RRC個別シグナリングを使用することにより構成されてもよい。RA情報は、第１のサブフレームのシンボルの第１の部分で送信されてもよく、例えば、RA情報は、特別サブフレームのUpPTSで送信されるか、サブフレームのタイムスロットで送信されるか、シンボルの他の部分で送信される。上りリンク復調用参照信号は、サブフレームの２つのシンボルで送信され、RRCシグナリングを使用することにより構成されてもよく、物理下りリンク制御チャネルによりトリガーされてもよい。
【００２２】
ステップ13：UEは、第１の上りリンク信号が第１の種類の上りリンク信号であることを決定する。第１の種類の上りリンク信号は、第１のサブフレームのシンボルの第１の部分を占有し、シンボルの第１の部分に含まれるシンボルの数は、第１のサブフレームに含まれるシンボルの数未満である。
【００２３】
特に、第１の種類の上りリンク信号は、サウンディング参照信号（SRS）、上りリンク肯定応答／否定応答（ACK/NACK）情報、上りリンク復調用参照信号、上りリンクデータチャネル、チャネル状態情報、スケジューリング要求インジケータ、及びランダムアクセス情報のうち少なくとも１つを含む。どのように第１の種類の上りリンク信号がシンボルの第１の部分を占有するかについての情報は、特にステップ12に記載されている。
【００２４】
ステップ14：UEは、第１のサブフレームのシンボルの第２の部分で下りリンク制御チャネルを検出する。シンボルの第１の部分及びシンボルの第２の部分は時間ドメインで重複しない。
【００２５】
任意選択で、第１のサブフレームが１つのTDDキャリアにある場合、例えば、TDDキャリアのみがUEのために構成される場合、第１のサブフレームのシンボルの第１の部分とシンボルの第２の部分との双方はTDDキャリアにある。例えば、第１のサブフレームの最初の３つのシンボルは、シンボルの第２の部分であり、特に、UEが物理下りリンク制御チャネルを検出する領域である。物理下りリンク制御チャネルは、PDCCH又はEPDCCHでもよい。第１のサブフレームの最後のシンボルは、シンボルの第１の部分、特に、第１の上りリンク信号を送信するためにUEにより使用されるシンボルである。第１の上りリンク信号は、サウンディング参照信号（SRS）、上りリンクデータチャネル等でもよい。他のシンボル構成も当てはまってもよく、例えば、第１のサブフレームのタイムスロット、UpPTS領域又はDwPTS領域、及び従来の制御領域も当てはまってもよい。従来の制御領域は、PDCCH、下りリンクACK/NACKチャネル及びPCFICHのようなチャネルが送信されてサブフレームの最初のnシンボルを占有するLTEシステムの領域である。ただし、nは5未満の自然数である。この実施例では、第１のサブフレームは、柔軟なサブフレームとして理解されてもよく、柔軟なサブフレームは、基地局によるスケジューリングに従って、上りリンクサブフレーム又は下りリンクサブフレームに動的に変更されてもよい。UEが柔軟なサブフレームのシンボルの第１の部分で第１の上りリンク信号を送信するように基地局により構成されていない場合、これは、サブフレームが基地局により上りリンクサブフレームとして使用されないことを意味し、UEは、第１のサブフレームのシンボルの第２の部分で物理下りリンク制御チャネルを検出する。すなわち、サブフレームは、基地局により下りリンクサブフレームとして使用されてもよく、或いは、UEは、物理下りリンク制御チャネルを検出するために柔軟なサブフレームを下りリンクサブフレームとして考慮する。
【００２６】
任意選択で、第１のサブフレームが第１のキャリア及び第２のキャリアの双方に位置する場合、第１のキャリア及び第２のキャリアは、UEのために構成された２つのTDキャリアである。第１のキャリアの第１のサブフレームは、上りリンクサブフレームであり、第２のキャリアの第１のサブフレームは、下りリンクサブフレームである。他のキャリアの構成及びサブフレームの構成も当てはまってもよい。この場合、シンボル構成の例は、第１のキャリアの最後のシンボルが第１のサブフレームのシンボルの第１の部分（すなわち、第１の上りリンク信号を送信するように構成されたシンボルの第１の部分）であり、第２のキャリアの最初の２つのシンボルが第１のサブフレームのシンボルの第２の部分（すなわち、物理下りリンク制御チャネルを検出するためにUEにより使用されるシンボルの第２の部分）であるものでもよい。他のシンボル構成も当てはまってもよく、例えば、第１のサブフレームのタイムスロット、UpPTS領域又はDwPTS領域、及び従来の制御領域も当てはまってもよい。従来の制御領域は、PDCCH、下りリンクACK/NACKチャネル及びPCFICHのようなチャネルが送信されてサブフレームの最初のnシンボルを占有するLTEシステムの領域である。ただし、nは5未満の自然数である。この実施例では、UEは半二重UEであり、これは、UEが同時に情報を送信及び受信することができないことを意味する。例えば、UEは、同時に上りリンク及び下りリンクで同じシンボルを有してもよいが、UEは、第１のキャリアで信号を受信するか、第２のキャリアで信号を送信するかのいずれかを行ってもよく、逆も同様である。
【００２７】
UEが第１のサブフレームのシンボルの第２の部分で物理下りリンク制御チャネルを検出する動作は、以下の選択肢を含んでもよい。
【００２８】
物理下りリンク制御チャネルは、物理下りリンク制御チャネル（PDCCH：Physical  Downlink  Control  Channel）、拡張物理下りリンク制御チャネル（EPDCCH：Enhanced  PDCCH）、下りリンクACK/NACKチャネル、拡張下りリンクACK/NACKチャネル、及び物理制御フォーマットインジケータチャネル（PCFICH：Physical  Control  Format  Indicator  Channel）のうち少なくとも１つを含む。PDCCHは、LTEシステムの前のリリースにおける従来の制御領域で送信される物理下りリンク制御チャネル（例えば、LTEシステムのリリース8〜10のPDCCH）である。EPDCCHは、チャネルプロコーディング送信に基づいて送信される物理下りリンク制御チャネルであり、リソースは、物理リソースブロックの対又は物理リソースブロックの大きさでPDCCHに割り当てられ、EPDCCHは、LTEリリース11又はリリース12で使用される。下りリンクACK/NACKチャネルは、従来の制御領域で送信され、PUSCHに関連付けられたフィードバックチャネルである。拡張下りリンクACK/NACKチャネルは、LTEリリース12以降で導入された下りリンクACK/NACKチャネルであり、リソースは、物理リソースブロックの対又は物理リソースブロックの大きさで拡張下りリンクACK/NACKチャネルに割り当てられてもよい。PCFICHは、サブフレームの従来の制御領域により占有されるシンボルの数を示すために使用され、サブフレームの第１のシンボルで送信される。
【００２９】
任意選択で、ステップ14の後に、前述の方法は以下を更に含む。
【００３０】
一実施例では、
【００３１】
ステップ15：物理下りリンク制御チャネルが第１のサブフレームで下りリンクデータチャネルをスケジューリングする場合、UEは、下りリンクデータチャネルを受信し、UEは、第１のサブフレームのシンボルの第１の部分で第１の上りリンク信号を送信することをスキップする。
【００３２】
特に、物理下りリンク制御チャネルは、下りリンクスケジューリング割り当てである。UEが下りリンクスケジューリング割り当てを検出し、下りリンクスケジューリング割り当てが第１のサブフレームで下りリンクデータチャネル（例えば、時間ドメインにおける全体の第１のサブフレームを占有するPDSCH）の送信をスケジューリング又は指示する場合、UEは、第１のサブフレームで下りリンクデータチャネルを受信する。UEは、同時に受信及び送信することができないため、UEは、第１のサブフレームのシンボルの第１の部分で第１の上りリンク信号（例えば、SRS）を送信することをスキップする。すなわち、UEは、送信動作をスキップすることが決定される。
【００３３】
或いは、他の実施例では、
【００３４】
ステップ15：物理下りリンク制御チャネルが第１のサブフレームで下りリンクデータチャネルをスケジューリングする場合、UEは、第１のサブフレームのシンボルの第３の部分で下りリンクデータチャネルを受信し、UEは、第１のサブフレームのシンボルの第１の部分で第１の上りリンク信号を送信する。シンボルの第１の部分及びシンボルの第３の部分は重複しない。
【００３５】
特に、物理下りリンク制御チャネルは、下りリンクスケジューリング割り当てである。UEが下りリンクスケジューリング割り当てを検出し、下りリンクスケジューリング割り当てが第１のサブフレームで下りリンクデータチャネル（例えば、時間ドメインにおける第１のサブフレームのシンボルの第３の部分のみを占有し得るPDSCH）の送信をスケジューリング又は指示する場合、シンボルの第３の部分及びシンボルの第１の部分は重複しないため、UEは、第１のサブフレームのシンボルの第１の部分で第１の上りリンク信号（例えば、SRS）を送信してもよい。下りリンクスケジューリング割り当てはまた、シンボルの第３の部分で他の下りリンクチャネル（例えば、ACK/NACKチャネル）の送信をスケジューリングしてもよい。
【００３６】
或いは、他の実施例では、
【００３７】
ステップ15：物理下りリンク制御チャネルが第１のサブフレームで下りリンクデータチャネルをスケジューリングし、UEがシンボルの第１の部分で送信するように構成された第１の上りリンク信号が非周期的SRSである場合、UEは、第１のサブフレームのシンボルの第１の部分で非周期的SRSを送信し、第１のサブフレームで下りリンクデータチャネルを受信することをスキップする。
【００３８】
任意選択で、シンボルの第２の部分とシンボルの第１の部分との間にガード期間が存在する、及び／又は、シンボルの第３の部分とシンボルの第１の部分との間にガード期間が存在する。期間は、予め構成されてもよく、シグナリングによりUEに通知されてもよい。期間は、UEのための上りリンク情報送信から下りリンク情報受信を分離する切り替え点として使用される。
【００３９】
任意選択で、第１の上りリンク信号が第１の種類の上りリンク信号ではない場合、UEは、第１のサブフレームで物理下りリンク制御チャネルを検出することをスキップする。シンボルの第１の部分とシンボルの第２の部分との間の重複は、部分的な重複を示してもよく、シンボルの第２の部分がシンボルの第１の部分に含まれることを意味してもよく、シンボルの第１の部分がシンボルの第２の部分に含まれること等を意味してもよい。重複のため、且つ、UEが同時に情報を送信及び受信することができないという事実のため、UEは、前に基地局により実行された構成に従って、シンボルの第１の部分で第１の上りリンク信号を送信し、シンボルの第２の部分で物理下りリンク制御チャネルを検出することをスキップする。
【００４０】
UEが同時に受信及び送信を実行することができるか否かを決定する手順は、シンボルの第１の部分及びシンボルの第２の部分が時間ドメインで重複するか否かを決定することに限定されなくてもよい。決定の結果がUEが同時に情報を受信及び送信ができるかできないかを確かめることができる限り、他の決定する手法が使用されてもよい。例えば、決定する手順はまた、基地局が第１の上りリンク信号を送信するようにUEを構成したシンボルがシンボルの第２の部分と重複することでもよい。
【００４１】
以下に、特定の例を使用することにより、本発明のこの実施例を詳細に説明する。
【００４２】
異なる上りリンク・下りリンク構成を有する２つのTDDキャリアのアグリゲーションが説明の例として使用され、他のキャリアアグリゲーションの事例の処理もこの例と同様である。図３に示すように、第１のキャリアが特別TDD上りリンク・下りリンク構成0を有するキャリア1であり、第２のキャリアが特別上りリンク・下りリンク構成5を有するキャリア2であることが仮定される。一例として、第１のサブフレームは、競合したサブフレームであるサブフレーム7である。具体的には、キャリア1のサブフレーム7は上りリンクサブフレームであり、キャリア2のサブフレーム7は下りリンクサブフレームである。第１の上りリンク信号は周期的SRSであり、周期的SRSは、RRCシグナリングを使用することにより、UEのために基地局により構成される。物理下りリンク制御チャネルは、従来の制御領域のPDCCHである。第１のサブフレームのシンボルの第１の部分は、キャリア1のサブフレーム7の最後のシンボルであり、第１のサブフレームのシンボルの第２の部分は、キャリア2のサブフレーム7の最初のnシンボルであり、nは5未満の自然数である。すなわち、シンボルの第１の部分及びシンボルの第２の部分は重複しない。
【００４３】
従って、UEは、第１のサブフレームがサブフレーム7であることを決定し、サブフレーム7で構成されたSRSが第１の種類の上りリンク信号であり、すなわち、SRSがサブフレーム7のシンボルの第１の部分（例えば、最後のシンボル）を占有することを決定してもよい。
【００４４】
すなわち、決定の結果がシンボルの第１の部分及びシンボルの第２の部分が重複しないことである場合、UEは、キャリア2のサブフレーム7の従来の制御領域でPDCCHを検出する。PDCCHが検出され、PDCCHが現在のサブフレームの共通のPDSCHをスケジューリングする場合、すなわち、PDSCHが時間ドメインにおいて全体のサブフレーム7を占有する場合、UEは、PDSCHを受信し、キャリア1のサブフレーム7のシンボルの第１の部分で構成されたSRSを送信することをスキップする。これに対して、UEがPDCCHを検出しない場合、又はPDSCHがサブフレーム7の第１のタイムスロット（すなわち、最初の7シンボル）のみを占有するという特別PDSCHを検出する場合、UEは、受信をスキップするか、キャリア2のサブフレーム7で特別PDSCHを受信し、キャリア1のサブフレーム7のシンボルの第１の部分（すなわち、最後のシンボル）で構成された周期的SRSを送信する。
【００４５】
決定の結果がシンボルの第１の部分及びシンボルの第２の部分が重複することである場合、例えば、共通のPUSCHがキャリア1のサブフレーム7でスケジューリングされる場合、PUSCHは時間ドメインにおいて全体のサブフレーム7を占有するため、UEは、キャリア2のサブフレーム7でPDCCHを検出することをスキップするが、キャリア1のサブフレーム7でPUSCHを送信する。
【００４６】
本発明で提供される方法は、前述のダイナミックTDDキャリア技術及び異なる上りリンク・下りリンク構成を有するキャリアのアグリゲーションの事例で、競合したサブフレームにおいて半二重UEのリソース利用を改善することができることが分かる。すなわち、UEは、同じサブフレームの重複しないシンボルで別々に受信及び送信することができる。
【００４７】
本発明は、他の実施例の情報送信方法を提供する。この方法は、ユーザ装置側で使用されてもよく、
UEにより、第１のサブフレームを決定し、
UEにより、第１のサブフレームの上りリンク・下りリンク構成が第１のキャリア及び第２のキャリアで異なることを決定し、第１のキャリア及び第２のキャリアはUEのために現在構成されているキャリアであり、
UEにより、第１のキャリアの第１のサブフレームで情報を送信又は受信し、UEにより、第２のキャリアの第１のサブフレームで情報を送信又は受信することをスキップすることを含む。
【００４８】
ステップ51：UEは、第１のサブフレームを決定する。
【００４９】
第１のサブフレームは、それぞれ第１のキャリア及び第２のキャリアの第１のサブフレームでもよく、この場合、第１のキャリア及び第２のキャリアがUEのために基地局により構成される。第１のキャリア及び第２のキャリアは、２つのTDDキャリアでもよく、１つのTDDキャリア及び１つのFDDキャリアでもよい。特に、第１のキャリア及び第２のキャリアの第１のサブフレームの方向は、特に、第１のキャリアの第１のサブフレームが下りリンクパイロットタイムスロット（DwPTS）、ガード期間（GP）及び上りリンクパイロットタイムスロット（UpPTS）を含む特別サブフレームであり、第２のキャリアの第１のサブフレームが下りリンクサブフレームであることでもよく、逆でもよい。少なくとも第１のサブフレームのシンボルの一部は、第１のサブフレームが２つの異なるキャリアにあるときに異なる送信方向を有するため、上りリンク及び下りリンクサブフレームの構成が第１のキャリア及び第２のキャリアで異なることが分かる。
【００５０】
ステップ52：UEは、第１のサブフレームの上りリンク・下りリンク構成が第１のキャリア及び第２のキャリアで異なることを決定する。第１のキャリア及び第２のキャリアはUEのために現在構成されているキャリアである。
【００５１】
第１のキャリア及び第２のキャリアは、基地局により送信されたRRCシグナリングを使用することにより、UEのために構成される。特に、第１のキャリアは、アンカーキャリア（anchor  carrier）であり、第２のキャリアは、追加キャリアである。第１のキャリア及び第２のキャリアは、２つのTDDキャリアでもよく、１つのFDDキャリア及び１つのTDDキャリアでもよい。
【００５２】
第１のサブフレームの上りリンク・下りリンク構成は、第１のキャリア及び第２のキャリアで異なる。例えば、第１のキャリアの第１のサブフレームは、下りリンクサブフレームであり、第２のキャリアの第１のサブフレームは、上りリンクサブフレームであり、逆も同様である。或いは、第１のキャリアの第１のサブフレームは、３つの部分、すなわち、DwPTS、GP及びUpPTSを含むTDD特別サブフレームであるが、第２のキャリアの第１のサブフレームは、上りリンクサブフレーム又は下りリンクサブフレームである。
【００５３】
ステップ53：UEは、第１のキャリアの第１のサブフレームで情報を送信又は受信し、UEは、第２のキャリアの第１のサブフレームで情報を送信又は受信することをスキップする。
【００５４】
UEは、アンカーキャリアにおける第１のサブフレームの送信構成を決定するために、アンカーキャリアに構成されたサブフレーム構成を使用してもよい。
【００５５】
第１のキャリアがアンカーキャリアである場合、UEは、アンカーキャリアのサブフレーム構成において、アンカーキャリア（すなわち、第１のキャリア）の第１のサブフレームに構成された送信モードを使用してもよい。第１のサブフレームは、下りリンクサブフレームでもよく、上りリンクサブフレームでもよく、下りリンクパイロットタイムスロット（DwPTS）、ガード期間（GP）及び上りリンクパイロットタイムスロット（UpPTS）を含む特別サブフレームでもよい。更に、UEは、第１のキャリアで対応する上りリンク／下りリンク信号を送信又は受信する。
【００５６】
任意選択で、UEは、第２のキャリアに対応する第１のサブフレームで信号を送信又は受信することをスキップしてもよい。
【００５７】
任意選択で、UEは、第２のキャリアに対応する第１のサブフレームの送信方向に従って、第１のキャリアに対応する第１のサブフレームのタイムスロット構成に基づいて、第２のキャリアに対応する第１のサブフレームにおいて、下りリンク信号受信のための時間の長さと、上りリンク信号送信のための時間の長さとを決定する。下りリンク信号受信のための時間の長さは、第１のキャリアに対応する第１のサブフレームにおける下りリンク信号受信のための時間の長さ以下でもよく、UEは、下りリンク信号のみを受信するか、上りリンク信号のみを送信するかを行う。
【００５８】
任意選択で、第２のキャリアに対応する第１のサブフレームにおいて、UEは、下りリンク制御シグナリング（PDCCH）を受信してもよいが、下りリンクデータチャネルを受信することをスキップしてもよく、いずれかの上りリンクデータ送信を受信することをスキップしてもよい。
【００５９】
任意選択で、第２のキャリアに対応する第１のサブフレームにおいて、UEは、下りリンク信号を受信して上りリンク信号を送信するために、第１のキャリアに対応する第１のサブフレームのタイムスロット構成と同じタイムスロット構成を使用してもよい。
【００６０】
以下に、４つの特定の例を使用することにより、本発明のこの実施例を詳細に説明する。
【００６１】
異なる上りリンク・下りリンク構成を有する２つのTDDキャリアのアグリゲーションが説明の例として使用され、他のキャリアアグリゲーションの事例の処理もこの例と同様である。図４に示すように、第１のキャリアが特別TDD上りリンク・下りリンク構成0を有するキャリア1であり、第２のキャリアが特別上りリンク・下りリンク構成5を有するキャリア2であることが仮定される。更に、第１のキャリアは、アンカーキャリアとして構成され、第２のキャリアは、追加キャリアとして構成される。UEは、第１のサブフレームが競合したサブフレームであるサブフレーム6であることを決定する。具体的には、キャリア1のサブフレーム6は、下りリンクパイロットタイムスロット（DwPTS）、ガード期間（GP）及び上りリンクパイロットタイムスロット（UpPTS）を含む特別サブフレームであり、キャリア2のサブフレーム6は、下りリンクサブフレームである。UEは、アンカーキャリアの構成（すなわち、キャリア1の構成）に従って、DwPTS及びUpPTSでの信号の受信及び送信が、特別サブフレームの構成に従って第１のキャリアで実行されるべきであることを決定する。キャリア2のサブフレーム6は、下りリンクサブフレームであり、キャリア1の構成とは異なる。従って、端末は、キャリア2に対応するサブフレーム6でeNBにより送信されたいずれかの情報を受信することを完全にスキップしてもよい。
【００６２】
異なる上りリンク・下りリンク構成を有する２つのTDDキャリアのアグリゲーションが説明の例として使用され、他のキャリアアグリゲーションの事例の処理もこの例と同様である。図５に示すように、第１のキャリアが特別TDD上りリンク・下りリンク構成0を有するキャリア1であり、第２のキャリアが特別上りリンク・下りリンク構成5を有するキャリア2であることが仮定される。更に、第１のキャリアは、アンカーキャリアとして構成され、第２のキャリアは、追加キャリアとして構成される。UEは、第１のサブフレームが競合したサブフレームであるサブフレーム6であることを決定する。具体的には、キャリア1のサブフレーム6は、下りリンクパイロットタイムスロット（DwPTS）、ガード期間（GP）及び上りリンクパイロットタイムスロット（UpPTS）を含む特別サブフレームであり、キャリア2のサブフレーム6は、下りリンクサブフレームである。UEは、アンカーキャリアの構成（すなわち、キャリア1の構成）に従って、DwPTS及びUpPTSでの信号の受信及び送信が、特別サブフレームの構成に従って第１のキャリアで実行されるべきであることを決定する。
【００６３】
第１のキャリア及び第２のキャリアの構成に従って、２つの異なる事例が存在する。事例1では、第１のキャリアにおける上りリンク送信のタイミングアドバンスは、第２のキャリアにおける上りリンク送信のタイミングアドバンスと同じである。事例2では、第１のキャリアにおける上りリンク送信のタイミングアドバンスは、第２のキャリアにおける上りリンク送信のタイミングアドバンスとは異なる。前述の２つの事例に基づいて説明が提供される。
【００６４】
事例1では、サブフレーム6の構成は、キャリア2及びキャリア1で異なり、サブフレーム6はキャリア2では下りリンクサブフレームであり、キャリア1では特別サブフレームとして構成される。ただし、DwPTSの長さは完全な下りリンクサブフレームの長さ未満である。キャリア2のサブフレーム6では、UEは、下りリンクデータを受信するために、キャリア1のサブフレーム6に対応し、タイムスロットの長さがキャリア1のサブフレーム6の長さ以下であるタイムスロット構成を使用してもよいが、UEは、上りリンクデータを送信する必要はない。
【００６５】
サブフレーム6の構成は、キャリア2及びキャリア1で異なり、サブフレーム6はキャリア2では下りリンクサブフレームであり、キャリア1では特別サブフレームとして構成される。ただし、DwPTSの長さは完全な下りリンクサブフレームの長さ未満である。UEは、キャリア1に対応するサブフレーム6のDwPTSの長さに従って、且つ、キャリア1における上りリンク送信のタイミングアドバンスとキャリア2における上りリンク送信のタイミングアドバンスとの間の差に従って、キャリア2のサブフレーム6における下りリンクデータの受信の長さを調整してもよい。上りリンク送信のタイミングアドバンスの差が最小送信シンボルの整数倍でない場合、タイミングアドバンスの差は、最も近い整数に切り捨てられ、キャリア2における下りリンクデータの受信の長さは、最小送信シンボルの整数倍に従って調整される。調整された下りリンクの受信の長さは、調整された下りリンクの受信の長さに最も近い、既存のプロトコルで定義された下りリンクの長さの構成でもよい。調整された下りリンクの長さは、キャリア1のDwPTS及びキャリア間の上りリンクタイミングアドバンスの差に従って計算することにより取得された実際の利用可能な受信の長さ未満であることが確保される。UEは、キャリア2における調整された下りリンクデータ受信の長さに従ってサブフレーム6で下りリンクデータを受信する。しかし、UEは、上りリンクデータを送信する必要はない。
【００６６】
事例2では、
【００６７】
サブフレーム6の構成は、キャリア2及びキャリア1で異なり、サブフレーム6はキャリア2では下りリンクサブフレームであり、キャリア1では特別サブフレームとして構成される。ただし、DwPTSの長さは完全な下りリンクサブフレームの長さ未満である。UEは、キャリア1に対応するサブフレーム6のDwPTSの長さに従って、且つ、キャリア1における上りリンク送信のタイミングアドバンスとキャリア2における上りリンク送信のタイミングアドバンスとの間の差に従って、キャリア2のサブフレーム6における下りリンクデータの受信の長さを調整してもよい。上りリンク送信のタイミングアドバンスの差が最小送信シンボルの整数倍でない場合、タイミングアドバンスの差は、最も近い整数に切り捨てられ、キャリア2における下りリンクデータの受信の長さは、最小送信シンボルの整数倍に従って調整される。調整された下りリンクの受信の長さは、調整された下りリンクの受信の長さに最も近い、既存のプロトコルで定義された下りリンクの長さの構成でもよい。調整された下りリンクの長さは、キャリア1のDwPTS及びキャリア間の上りリンクタイミングアドバンスの差に従って計算することにより取得された実際の利用可能な受信の長さ未満であることが確保される。UEは、キャリア2における調整された下りリンクデータ受信の長さに従ってサブフレーム6で下りリンクデータを受信する。しかし、UEは、上りリンクデータを送信する必要はない。
【００６８】
異なる上りリンク・下りリンク構成を有する２つのTDDキャリアのアグリゲーションが説明の例として使用され、他のキャリアアグリゲーションの事例の処理もこの例と同様である。図６に示すように、第１のキャリアが特別TDD上りリンク・下りリンク構成0を有するキャリア1であり、第２のキャリアが特別上りリンク・下りリンク構成5を有するキャリア2であることが仮定される。更に、第１のキャリアは、アンカーキャリアとして構成され、第２のキャリアは、追加キャリアとして構成される。UEは、第１のサブフレームが競合したサブフレームであるサブフレーム6であることを決定する。具体的には、キャリア1のサブフレーム6は、下りリンクパイロットタイムスロット（DwPTS）、ガード期間（GP）及び上りリンクタパイロットイムスロット（UpPTS）を含む特別サブフレームであり、キャリア2のサブフレーム6は、下りリンクサブフレームである。UEは、アンカーキャリアの構成（すなわち、キャリア1の構成）に従って、DwPTS及びUpPTSでの信号の受信及び送信が、特別サブフレームの構成に従って第１のキャリアで実行されるべきであることを決定する。キャリア2のサブフレーム6は、下りリンクサブフレームであり、キャリア1の構成とは異なる。従って、端末は、キャリア2に対応するサブフレーム6でeNBにより送信されたPDCCH情報のみを受信してもよいが、他のデータ情報を受信する必要はない。
【００６９】
本発明は、情報送信方法を更に提供する。この方法は、基地局側で使用されてもよく、以下を含む。
【００７０】
ステップ21：基地局は、第１のサブフレームを決定する。
【００７１】
任意選択で、本発明の実施例では、第１のサブフレームは、TDDキャリアの第１のサブフレームでもよく、この場合、TDDキャリアのみがUEのために基地局により構成される。或いは、任意選択で、第１のサブフレームは、それぞれ第１のキャリア及び第２のキャリアの第１のサブフレームでもよく、この場合、第１のキャリア及び第２のキャリアがUEのために基地局により構成される。第１のキャリア及び第２のキャリアは、２つのTDDキャリアでもよく、１つのTDDキャリア及び１つのFDDキャリアでもよい。
【００７２】
他の第１のサブフレームとキャリアとの間の関係の説明については、UE側で使用される方法を参照し、詳細はここでは再び説明しない。
【００７３】
ステップ22：基地局は、第１のサブフレームで第１の上りリンク信号を送信するようにUEを構成する。
【００７４】
ステップ23：基地局は、第１の上りリンク信号が第１の種類の上りリンク信号であることを決定する。第１の種類の上りリンク信号は、第１のサブフレームのシンボルの第１の部分を占有し、シンボルの第１の部分に含まれるシンボルの数は、第１のサブフレームに含まれるシンボルの数未満である。
【００７５】
ステップ24：基地局は、第１のサブフレームのシンボルの第２の部分で下りリンク制御チャネルをUEに送信する。シンボルの第１の部分及びシンボルの第２の部分は時間ドメインで重複しない。
【００７６】
任意選択で、第１の種類の上りリンク信号は、サウンディング参照信号（SRS）、上りリンク肯定応答／否定応答（ACK/NACK）情報、上りリンク復調用参照信号、上りリンクデータチャネル、チャネル状態情報、スケジューリング要求インジケータ、及びランダムアクセス情報のうち少なくとも１つを含む。
【００７７】
任意選択で、第１のサブフレームのシンボルの第１の部分及びシンボルの第２の部分は、１つの時分割双方向（TDD）キャリアにある。或いは、任意選択で、第１のサブフレームのシンボルの第１の部分は第１のキャリアにあり、第１のサブフレームのシンボルの第２の部分は第２のキャリアにあり、上りリンク／下りリンクサブフレーム構成は、第１のキャリア及び第２のキャリアで異なる。UEは、半二重UEである。
【００７８】
特に、他の第１のサブフレームとシンボルの第１の部分及びシンボルの第２の部分の双方との間の関係の説明については、UE側で使用される方法を参照し、詳細はここでは再び説明しない。
【００７９】
任意選択で、第１のキャリア又は第２のキャリアの第１のサブフレームは、TDD特別サブフレームである。
【００８０】
任意選択で、基地局は、第１のサブフレームの前の時点で基地局により送信された上りリンクスケジューリング許可を使用することにより、第１のサブフレームのシンボルの第１の部分で上りリンクデータチャネルを送信するようにUEを構成する。或いは、基地局は、第１のサブフレームの前の時点で基地局により送信された物理下りリンク制御チャネル及び／又は下りリンクデータチャネルを使用することにより、第１のサブフレームのシンボルの第１の部分で上りリンク肯定応答／否定応答（ACK/NACK）情報を送信するようにUEを構成する。或いは、基地局は、第１のサブフレームの前の時点で基地局により送信された無線リソース制御（RRC）シグナリング、物理下りリンク制御チャネル又はブロードキャストシグナリングを使用することにより、第１のサブフレームのシンボルの第１の部分でサウンディング参照信号（SRS：Sounding  Reference  Signal）、上りリンク復調用参照信号、チャネル状態情報、スケジューリング要求インジケータ、及びランダムアクセス情報のうち少なくとも１つを送信するようにUEを構成する。詳細は、UE側で使用される方法に特に記載されており、ここでは再び説明しない。
【００８１】
任意選択で、物理下りリンク制御チャネルは、物理下りリンク制御チャネル（PDCCH：Physical  Downlink  Control  Channel）、拡張物理下りリンク制御チャネル（EPDCCH：Enhanced  PDCCH）、下りリンクACK/NACKチャネル、拡張下りリンクACK/NACKチャネル、及び物理制御フォーマットインジケータチャネル（PCFICH：Physical  Control  Format  Indicator  Channel）のうち少なくとも１つを含む。詳細は、UE側で使用される方法に特に記載されており、ここでは再び説明しない。
【００８２】
任意選択で、シンボルの第１の部分は、第１のサブフレームのシンボル、タイムスロット又はUpPTS領域である、及び／又はシンボルの第２の部分は、第１のサブフレームのシンボル、タイムスロット、DwPTS領域、又は従来の下りリンク制御チャネル領域である。
【００８３】
任意選択で、物理下りリンク制御チャネルは、下りリンクスケジューリング割り当てである。
【００８４】
基地局が第１のサブフレームのシンボルの第２の部分で物理下りリンク制御チャネルをUEに送信した後に、この方法は以下を更に含む。
【００８５】
ステップ20：基地局は、第１のサブフレームで下りリンクデータチャネルをUEに送信する。下りリンクデータチャネルは、下りリンクスケジューリング割り当てにより指示又はスケジューリングされる。基地局は、第１のサブフレームのシンボルの第１の部分で第１の上りリンク信号を検出することをスキップする。或いは、
【００８６】
ステップ20：基地局は、第１のサブフレームのシンボルの第３の部分で下りリンクデータチャネルをUEに送信する。下りリンクデータチャネルは、下りリンクスケジューリング割り当てにより指示又はスケジューリングされる。シンボルの第３の部分及びシンボルの第１の部分は重複しない。基地局は、第１のサブフレームのシンボルの第１の部分で第１の上りリンク信号を受信する。
【００８７】
任意選択で、シンボルの第２の部分とシンボルの第１の部分との間にガード期間が存在する、及び／又は、シンボルの第３の部分とシンボルの第１の部分との間にガード期間が存在する。
【００８８】
本発明で提供される方法は、前述のダイナミックTDDキャリア技術及び異なる上りリンク・下りリンク構成を有するキャリアのアグリゲーションの事例で、競合したサブフレームにおいて半二重UEのリソース利用を改善することができることが分かる。すなわち、UEは、同じサブフレームの重複しないシンボルで別々に受信及び送信することができる。
【００８９】
本発明は、情報送信方法を更に提供する。この方法は、基地局側で使用されてもよく、基地局により、第１のサブフレームを決定し、第１のサブフレームの上りリンク・下りリンク構成は、第１のキャリア及び第２のキャリアで異なり、第１のキャリア及び第２のキャリアはUEのために現在構成されているキャリアであり、第１のキャリアの第１のサブフレームで、基地局により、UEへの情報又はUEにより送信された情報を送信又は受信し、第１のキャリアの第１のサブフレームで、UEに情報を送信することをスキップすること又はUEにより送信された情報を受信することをスキップすることを含む。
【００９０】
ステップ61：基地局は、第１のサブフレームを決定する。第１のサブフレームの上りリンク・下りリンク構成は、第１のキャリア及び第２のキャリアで異なり、第１のキャリア及び第２のキャリアはUEのために現在構成されているキャリアである。
【００９１】
第１のサブフレームは、それぞれ第１のキャリア及び第２のキャリアの第１のサブフレームでもよく、この場合、第１のキャリア及び第２のキャリアは基地局により構成される。第１のキャリア及び第２のキャリアは、基地局により、２つのTDDキャリアとして構成されてもよく、１つのTDDキャリア及び１つのFDDキャリアとして構成されてもよい。特に、第１のキャリア及び第２のキャリアの第１のサブフレームの方向は、特に、第１のキャリアの第１のサブフレームが下りリンクパイロットタイムスロット（DwPTS）、ガード期間（GP）及び上りリンクパイロットタイムスロット（UpPTS）を含む特別サブフレームであり、第２のキャリアの第１のサブフレームが下りリンクサブフレームであることでもよく、逆でもよい。少なくとも第１のサブフレームのシンボルの一部は、第１のサブフレームが２つの異なるキャリアにあるときに異なる送信方向を有するため、上りリンク及び下りリンクサブフレームの構成が第１のキャリア及び第２のキャリアで異なることが分かる。
【００９２】
ステップ62：第１のキャリアの第１のサブフレームで、基地局は、UEに情報を送信するか、UEにより送信された情報を受信する。第１のキャリアの第１のサブフレームで、UEは、UEに情報を送信することをスキップするか、UEにより送信された情報を受信することをスキップする。
【００９３】
第１のキャリア及び第２のキャリアは、RRCシグナリングを使用することにより、基地局によりUEのために構成される。特に、第１のキャリアは、アンカーキャリアであり、第２のキャリアは、追加キャリアである。第１のキャリア及び第２のキャリアは、２つのTDDキャリアでもよく、１つのFDDキャリア及び１つのTDDキャリアでもよい。
【００９４】
第１のサブフレームの上りリンク・下りリンク構成は、第１のキャリア及び第２のキャリアで異なる。例えば、第１のキャリアの第１のサブフレームは、下りリンクサブフレームであり、第２のキャリアの第１のサブフレームは、上りリンクサブフレームであり、逆も同様である。或いは、第１のキャリアの第１のサブフレームは、３つの部分、すなわち、DwPTS、GP及びUpPTSを含むTDD特別サブフレームであるが、第２のキャリアの第１のサブフレームは、上りリンクサブフレーム又は下りリンクサブフレームである。
【００９５】
基地局は、アンカーキャリアにおける第１のサブフレームの送信構成を決定するために、アンカーキャリアに構成されたサブフレーム構成を使用する。
【００９６】
第１のキャリアがアンカーキャリアである場合、基地局は、アンカーキャリアのサブフレーム構成において、アンカーキャリア（すなわち、第１のキャリア）の第１のサブフレームに構成された送信モードを使用してもよい。第１のサブフレームは、下りリンクサブフレームでもよく、上りリンクサブフレームでもよく、下りリンクパイロットタイムスロット（DwPTS）、ガード期間（GP）及び上りリンクパイロットタイムスロット（UpPTS）を含む特別サブフレームでもよい。更に、基地局は、第１のキャリアで対応する上りリンク／下りリンク信号を送信又は受信する。
【００９７】
任意選択で、基地局は、第２のキャリアに対応する第１のサブフレームでいずれかの信号を送信又は受信することを完全にスキップしてもよい。
【００９８】
任意選択で、基地局は、第２のキャリアに対応する第１のサブフレームの送信方向に従って、第１のキャリアに対応する第１のサブフレームのタイムスロット構成に基づいて、第２のキャリアに対応する第１のサブフレームにおいて、下りリンク信号受信のための時間の長さと、上りリンク信号送信のための時間の長さとを決定してもよい。下りリンク信号受信のための時間の長さは、第１のキャリアに対応する第１のサブフレームにおける下りリンク信号受信のための時間の長さ以下でもよく、基地局は、下りリンク信号のみを受信するか、上りリンク信号のみを送信するかを行う。任意選択で、第２のキャリアに対応する第１のサブフレームにおいて、基地局は、下りリンク制御シグナリング（PDCCH）を送信してもよいが、下りリンクデータチャネルを送信することをスキップしてもよく、いずれかの上りリンクデータ送信を受信することをスキップしてもよい。
【００９９】
任意選択で、第２のキャリアに対応する第１のサブフレームにおいて、基地局は、下りリンク信号を送信して上りリンク信号を受信するために、第１のキャリアに対応する第１のサブフレームのタイムスロット構成と同じタイムスロット構成を使用してもよい。
【０１００】
本発明は、UEを更に提供し、UEのために第１のサブフレームを決定するように構成された決定モジュールと、第１の上りリンク信号がUEのための第１の種類の上りリンク信号であることをUEのために決定するように構成された判断モジュールであり、第１の種類の上りリンク信号は、第１のサブフレームのシンボルの第１の部分を占有し、シンボルの第１の部分に含まれるシンボルの数は、第１のサブフレームに含まれるシンボルの数未満である判断モジュールと、UEが第１のサブフレームのシンボルの第１の部分で第１の上りリンク信号を送信するように構成されている場合、第１のサブフレームのシンボルの第２の部分で下りリンク制御チャネルを検出するように構成された検出モジュールであり、シンボルの第１の部分及びシンボルの第２の部分は時間ドメインで重複しない検出モジュールとを含む。
【０１０１】
任意選択で、第１のサブフレームのシンボルの第１の部分及びシンボルの第２の部分は、１つの時分割双方向（TDD：Time  Division  Duplex）キャリアにある。或いは、第１のサブフレームのシンボルの第１の部分は第１のキャリアにあり、第１のサブフレームのシンボルの第２の部分は第２のキャリアにあり、上りリンク／下りリンクサブフレーム構成は、第１のキャリア及び第２のキャリアで異なる。UEは、半二重UEである。
【０１０２】
任意選択で、第１のキャリア又は第２のキャリアの第１のサブフレームは、TDD特別サブフレームである。
【０１０３】
任意選択で、UEは、第１のサブフレームのシンボルの第１の部分で第１の上りリンク信号を送信するように構成され、UEが第１のサブフレームの前の時点で基地局により送信された上りリンクスケジューリング許可を使用することにより基地局により構成されている場合、第１のサブフレームのシンボルの第１の部分で上りリンクデータチャネルを送信するように構成された送信モジュールを含む。或いは、UEが第１のサブフレームの前の時点で基地局により送信された物理下りリンク制御チャネル及び／又は下りリンクデータチャネルを使用することにより基地局により構成されている場合、第１のサブフレームのシンボルの第１の部分で上りリンク肯定応答／否定応答（ACK/NACK）情報を送信するように構成された送信モジュールを含む。或いは、UEが第１のサブフレームの前の時点で基地局により送信された無線リソース制御（RRC）シグナリング、物理下りリンク制御チャネル又はブロードキャストシグナリングを使用することにより構成されている場合、第１のサブフレームのシンボルの第１の部分でサウンディング参照信号（SRS：Sounding  Reference  Signal）、上りリンク復調用参照信号、チャネル状態情報、スケジューリング要求インジケータ、及びランダムアクセス情報のうち少なくとも１つを送信するように構成された送信モジュールを含む。
【０１０４】
任意選択で、UEが第１のサブフレームのシンボルの第２の部分で物理下りリンク制御チャネルを検出する動作は、以下の選択肢を含んでもよい。
物理下りリンク制御チャネルは、物理下りリンク制御チャネル（PDCCH：Physical  Downlink  Control  Channel）、拡張物理下りリンク制御チャネル（EPDCCH：Enhanced  PDCCH）、下りリンクACK/NACKチャネル、拡張下りリンクACK/NACKチャネル、及び物理制御フォーマットインジケータチャネル（PCFICH：Physical  Control  Format  Indicator  Channel）のうち少なくとも１つを含む。
【０１０５】
任意選択で、シンボルの第１の部分は、第１のサブフレームのシンボル、タイムスロット又はUpPTS領域である、及び／又はシンボルの第２の部分は、第１のサブフレームのシンボル、タイムスロット、DwPTS領域、又は従来の下りリンク制御チャネル領域である。
【０１０６】
任意選択で、UEが第１のサブフレームのシンボルの第２の部分で物理下りリンク制御チャネルを検出した後に、UEは、物理下りリンク制御チャネルが第１のサブフレームで下りリンクデータチャネルをスケジューリングする場合、UEのために下りリンクデータチャネルを受信するように構成された受信モジュールと、UEが第１のサブフレームのシンボルの第１の部分で第１の上りリンク信号を送信することをスキップすることを決定するように構成された送信モジュールとを更に含む。或いは、物理下りリンク制御チャネルが第１のサブフレームで下りリンクデータチャネルをスケジューリングする場合、UEのために第１のサブフレームのシンボルの第３の部分で下りリンクデータチャネルを受信するように構成された受信モジュールと、UEのために第１のサブフレームのシンボルの第１の部分で第１の上りリンク信号を送信するように構成された送信モジュールであり、シンボルの第１の部分及びシンボルの第３の部分は重複しない送信モジュールとを更に含む。或いは、物理下りリンク制御チャネルが第１のサブフレームで下りリンクデータチャネルをスケジューリングし、UEがシンボルの第１の部分で送信するように構成された第１の上りリンク信号が非周期的SRSである場合、UEのために第１のサブフレームのシンボルの第１の部分で非周期的SRSを送信し、UEのために第１のサブフレームで下りリンクデータチャネルを受信することをスキップするように構成された処理モジュールを更に含む。
【０１０７】
任意選択で、シンボルの第２の部分とシンボルの第１の部分との間にガード期間が存在する、及び／又は、シンボルの第３の部分とシンボルの第１の部分との間にガード期間が存在する。
【０１０８】
任意選択で、検出モジュールは、第１の上りリンク信号が第１の種類の上りリンク信号ではない場合、UEのために第１のサブフレームで物理下りリンク制御チャネルを検出することをスキップするように構成される。
【０１０９】
詳細は、UE側で使用される方法に特に記載されており、ここでは再び説明しない。
【０１１０】
本発明で提供されるUEは、前述のダイナミックTDDキャリア技術及び異なる上りリンク・下りリンク構成を有するキャリアのアグリゲーションの事例で、競合したサブフレームにおいて半二重UEのリソース利用を改善することができることが分かる。すなわち、UEは、同じサブフレームの重複しないシンボルで別々に受信及び送信することができる。
【０１１１】
本発明は、UEを更に提供し、UEのために第１のサブフレームを決定するように構成された決定モジュールと、UEのために第１のサブフレームの上りリンク・下りリンク構成が第１のキャリア及び第２のキャリアで異なることを決定するように構成された判断モジュールであり、第１のキャリア及び第２のキャリアはUEのために現在構成されているキャリアである判断モジュールと、UEのために第１のキャリアの第１のサブフレームで情報を送信又は受信し、UEのために第２のキャリアの第１のサブフレームで情報を送信又は受信することをスキップするように構成された処理モジュールとを含む。
【０１１２】
決定モジュールは、UEのために第１のサブフレームを決定するように構成される。
判断モジュールは、第１のサブフレームの上りリンク・下りリンク構成が第１のキャリア及び第２のキャリアで異なることを決定する。第１のキャリア及び第２のキャリアはUEのために現在構成されているキャリアである。第１のキャリア及び第２のキャリアは、基地局により送信されたRRCシグナリングを使用することにより、UEのために構成される。特に、第１のキャリアは、アンカーキャリアであり、第２のキャリアは、追加キャリアである。第１のキャリア及び第２のキャリアは、２つのTDDキャリアでもよく、１つのFDDキャリア及び１つのTDDキャリアでもよい。
【０１１３】
第１のサブフレームの上りリンク・下りリンク構成は、第１のキャリア及び第２のキャリアで異なる。例えば、第１のキャリアの第１のサブフレームは、下りリンクサブフレームであり、第２のキャリアの第１のサブフレームは、上りリンクサブフレームであり、逆も同様である。或いは、第１のキャリアの第１のサブフレームは、３つの部分、すなわち、DwPTS、GP及びUpPTSを含むTDD特別サブフレームであるが、第２のキャリアの第１のサブフレームは、上りリンクサブフレーム又は下りリンクサブフレームである。
【０１１４】
処理モジュールは、UEのために第１のキャリアの第１のサブフレームで情報を送信又は受信し、UEのために第２のキャリアの第１のサブフレームで情報を送信又は受信することをスキップするように構成される。
【０１１５】
UEは、アンカーキャリアにおける第１のサブフレームの送信構成を決定するために、アンカーキャリアに構成されたサブフレーム構成を使用してもよい。
【０１１６】
第１のキャリアがアンカーキャリアである場合、UEは、アンカーキャリアのサブフレーム構成において、アンカーキャリア（すなわち、第１のキャリア）の第１のサブフレームに構成された送信モードを使用してもよい。第１のサブフレームは、下りリンクサブフレームでもよく、上りリンクサブフレームでもよく、下りリンクパイロットタイムスロット（DwPTS）、ガード期間（GP）及び上りリンクパイロットタイムスロット（UpPTS）を含む特別サブフレームでもよい。更に、UEは、第１のキャリアで対応する上りリンク／下りリンク信号を送信又は受信する。
【０１１７】
任意選択で、UEは、第２のキャリアに対応する第１のサブフレームでいずれかの信号を送信又は受信することを完全にスキップしてもよい。
【０１１８】
任意選択で、UEは、第２のキャリアに対応する第１のサブフレームの送信方向に従って、第１のキャリアに対応する第１のサブフレームのタイムスロット構成に基づいて、第２のキャリアに対応する第１のサブフレームにおいて、下りリンク信号受信のための時間の長さと、上りリンク信号送信のための時間の長さとを決定する。下りリンク信号受信のための時間の長さは、第１のキャリアに対応する第１のサブフレームにおける下りリンク信号受信のための時間の長さ以下でもよいが、UEは、下りリンク信号のみを受信するか、上りリンク信号のみを送信するかを行う。
【０１１９】
任意選択で、第２のキャリアに対応する第１のサブフレームにおいて、UEは、下りリンク制御シグナリング（PDCCH）を受信してもよいが、下りリンクデータチャネルを受信することをスキップしてもよく、いずれかの上りリンクデータ送信を受信することをスキップしてもよい。
【０１２０】
任意選択で、第２のキャリアに対応する第１のサブフレームにおいて、UEは、下りリンク信号を受信して上りリンク信号を送信するために、第１のキャリアに対応する第１のサブフレームのタイムスロット構成と同じタイムスロット構成を使用してもよい。
【０１２１】
本発明は、基地局を更に提供し、基地局のために第１のサブフレームを決定するように構成された決定モジュールであり、基地局は、第１のサブフレームで第１の上りリンク信号を送信するようにUEを構成する決定モジュールと、基地局のために第１の上りリンク信号が第１の種類の上りリンク信号であることを決定するように構成された判断モジュールであり、第１の種類の上りリンク信号は、第１のサブフレームのシンボルの第１の部分を占有し、シンボルの第１の部分に含まれるシンボルの数は、第１のサブフレームに含まれるシンボルの数未満である判断モジュールと、基地局のために第１のサブフレームのシンボルの第２の部分で下りリンク制御チャネルをUEに送信するように構成された送信モジュールであり、シンボルの第１の部分及びシンボルの第２の部分は時間ドメインで重複しない送信モジュールとを含む。
【０１２２】
任意選択で、第１の種類の上りリンク信号は、サウンディング参照信号（SRS）、上りリンク肯定応答／否定応答（ACK/NACK）情報、上りリンク復調用参照信号、上りリンクデータチャネル、チャネル状態情報、スケジューリング要求インジケータ、及びランダムアクセス情報のうち少なくとも１つを含む。
【０１２３】
任意選択で、第１のサブフレームのシンボルの第１の部分及びシンボルの第２の部分は、１つの時分割双方向（TDD：Dime  Division  Duplex）キャリアにある。或いは、第１のサブフレームのシンボルの第１の部分は第１のキャリアにあり、第１のサブフレームのシンボルの第２の部分は第２のキャリアにあり、上りリンク／下りリンクサブフレーム構成は、第１のキャリア及び第２のキャリアで異なる。UEは、半二重UEである。
【０１２４】
任意選択で、第１のキャリア又は第２のキャリアの第１のサブフレームは、TDD特別サブフレームである。
【０１２５】
任意選択で、基地局は、第１のサブフレームのシンボルの第１の部分で第１の上りリンク信号を送信するようにUEを構成し、第１のサブフレームの前の時点で基地局により送信された上りリンクスケジューリング許可を使用することにより、基地局のために第１のサブフレームのシンボルの第１の部分で上りリンクデータチャネルを送信するようにUEを構成するように構成された構成モジュールを含む。或いは、第１のサブフレームの前の時点で基地局により送信された物理下りリンク制御チャネル及び／又は下りリンクデータチャネルを使用することにより、基地局のために第１のサブフレームのシンボルの第１の部分で上りリンク肯定応答／否定応答（ACK/NACK）情報を送信するようにUEを構成する構成モジュールを含む。或いは、第１のサブフレームの前の時点で基地局により送信された無線リソース制御（RRC）シグナリング、物理下りリンク制御チャネル又はブロードキャストシグナリングを使用することにより、基地局のために第１のサブフレームのシンボルの第１の部分でサウンディング参照信号（SRS：Sounding  Reference  Signal）、上りリンク復調用参照信号、チャネル状態情報、スケジューリング要求インジケータ、及びランダムアクセス情報のうち少なくとも１つを送信するようにUEを構成するように構成された構成モジュールを含む。
【０１２６】
任意選択で、基地局が第１のサブフレームのシンボルの第２の部分で物理下りリンク制御チャネルをUEに送信する動作は、以下の選択肢を含んでもよい。物理下りリンク制御チャネルは、物理下りリンク制御チャネル（PDCCH：Physical  Downlink  Control  Channel）、拡張物理下りリンク制御チャネル（EPDCCH：Enhanced  PDCCH）、下りリンクACK/NACKチャネル、拡張下りリンクACK/NACKチャネル、及び物理制御フォーマットインジケータチャネル（PCFICH：Physical  Control  Format  Indicator  Channel）のうち少なくとも１つを含む。
【０１２７】
任意選択で、シンボルの第１の部分は、第１のサブフレームのシンボル、タイムスロット又はUpPTS領域である、及び／又はシンボルの第２の部分は、第１のサブフレームのシンボル、タイムスロット、DwPTS領域、又は従来の下りリンク制御チャネル領域である。
【０１２８】
任意選択で、物理下りリンク制御チャネルは、下りリンクスケジューリング割り当てである。
【０１２９】
基地局が第１のサブフレームのシンボルの第２の部分で物理下りリンク制御チャネルをUEに送信した後に、基地局は、基地局のために第１のサブフレームで下りリンクデータチャネルをUEに送信するように構成された送信モジュールであり、下りリンクデータチャネルは、下りリンクスケジューリング割り当てにより指示又はスケジューリングされる送信モジュールと、基地局が第１のサブフレームのシンボルの第１の部分で第１の上りリンク信号を検出することをスキップすることを決定するように構成された受信モジュールとを更に含む。或いは、基地局のために第１のサブフレームのシンボルの第３の部分で下りリンクデータチャネルをUEに送信するように構成された送信モジュールであり、下りリンクデータチャネルは、下りリンクスケジューリング割り当てにより指示又はスケジューリングされ、シンボルの第３の部分及びシンボルの第１の部分は重複しない送信モジュールと、基地局のために第１のサブフレームのシンボルの第１の部分で第１の上りリンク信号を受信するように構成された受信モジュールとを更に含む。
【０１３０】
任意選択で、シンボルの第２の部分とシンボルの第１の部分との間にガード期間が存在する、及び／又は、シンボルの第３の部分とシンボルの第１の部分との間にガード期間が存在する。
【０１３１】
詳細は、基地局側で使用される方法に特に記載されており、ここでは再び説明しない。
【０１３２】
本発明は、基地局を更に提供し、基地局のために第１のサブフレームを決定するように構成された決定モジュールであり、第１のサブフレームの上りリンク・下りリンク構成は、第１のキャリア及び第２のキャリアで異なり、第１のキャリア及び第２のキャリアはUEのために現在構成されているキャリアである決定モジュールと、第２のキャリアの第１のサブフレームで、基地局のために、UEに情報を送信するか、UEにより送信された情報を受信するように構成され、第２のキャリアの第１のサブフレームで、基地局のために、UEに情報を送信することをスキップするか、UEにより送信された情報を受信することをスキップするように構成された処理モジュールとを含む。
【０１３３】
決定モジュールは、基地局のために第１のサブフレームを決定するように構成され、第１のキャリア及び第２のキャリアにおいて第１のサブフレームの上りリンク・下りリンク構成は異なり、第１のキャリア及び第２のキャリアはUEのために現在構成されているキャリアである。第１のサブフレームは、それぞれ第１のキャリア及び第２のキャリアの第１のサブフレームでもよく、この場合、第１のキャリア及び第２のキャリアは基地局により構成される。第１のキャリア及び第２のキャリアは、基地局により、２つのTDDキャリアとして構成されてもよく、１つのTDDキャリア及び１つのFDDキャリアとして構成されてもよい。特に、第１のキャリア及び第２のキャリアの第１のサブフレームの方向は、特に、第１のキャリアの第１のサブフレームが下りリンクパイロットタイムスロット（DwPTS）、ガード期間（GP）及び上りリンクパイロットタイムスロット（UpPTS）を含む特別サブフレームであり、第２のキャリアの第１のサブフレームが下りリンクサブフレームであることでもよく、逆でもよい。少なくとも第１のサブフレームのシンボルの一部は、第１のサブフレームが２つの異なるキャリアにあるときに異なる送信方向を有するため、上りリンク及び下りリンクサブフレームの構成が第１のキャリア及び第２のキャリアで異なることが分かる。
【０１３４】
処理モジュールは、第１のキャリアの第１のサブフレームで、基地局のために、UEに情報を送信するか、UEにより送信された情報を受信し、第１のキャリアの第１のサブフレームで、基地局のために、UEに情報を送信することをスキップするか、UEにより送信された情報を受信することをスキップするように構成される。
【０１３５】
第１のキャリア及び第２のキャリアは、RRCシグナリングを使用することにより、基地局によりUEのために構成される。特に、第１のキャリアは、アンカーキャリアであり、第２のキャリアは、追加キャリアである。第１のキャリア及び第２のキャリアは、２つのTDDキャリアでもよく、１つのFDDキャリア及び１つのTDDキャリアでもよい。
【０１３６】
第１のサブフレームの上りリンク・下りリンク構成は、第１のキャリア及び第２のキャリアで異なる。例えば、第１のキャリアの第１のサブフレームは、下りリンクサブフレームであり、第２のキャリアの第１のサブフレームは、上りリンクサブフレームであり、逆も同様である。或いは、第１のキャリアの第１のサブフレームは、３つの部分、すなわち、DwPTS、GP及びUpPTSを含むTDD特別サブフレームであるが、第２のキャリアの第１のサブフレームは、上りリンクサブフレーム又は下りリンクサブフレームである。
【０１３７】
基地局は、アンカーキャリアにおける第１のサブフレームの送信構成を決定するために、アンカーキャリアに構成されたサブフレーム構成を使用する。
【０１３８】
第１のキャリアがアンカーキャリアである場合、UEは、アンカーキャリアのサブフレーム構成において、アンカーキャリア（すなわち、第１のキャリア）の第１のサブフレームに構成された送信モードを使用してもよい。第１のサブフレームは、下りリンクサブフレームでもよく、上りリンクサブフレームでもよく、下りリンクパイロットタイムスロット（DwPTS）、ガード期間（GP）及び上りリンクパイロットタイムスロット（UpPTS）を含む特別サブフレームでもよい。更に、基地局は、第１のキャリアで対応する上りリンク／下りリンク信号を送信又は受信する。
【０１３９】
任意選択で、基地局は、第２のキャリアに対応する第１のサブフレームでいずれかの信号を送信又は受信することを完全にスキップしてもよい。
【０１４０】
任意選択で、基地局は、第２のキャリアに対応する第１のサブフレームの送信方向に従って、第１のキャリアに対応する第１のサブフレームのタイムスロット構成に基づいて、第２のキャリアに対応する第１のサブフレームにおいて、下りリンク信号受信のための時間の長さと、上りリンク信号送信のための時間の長さとを決定してもよい。下りリンク信号受信のための時間の長さは、第１のキャリアに対応する第１のサブフレームにおける下りリンク信号受信のための時間の長さ以下でもよく、基地局は、下りリンク信号のみを受信するか、上りリンク信号のみを送信するかを行う。
【０１４１】
任意選択で、第２のキャリアに対応する第１のサブフレームにおいて、基地局は、下りリンク制御シグナリング（PDCCH）を送信してもよいが、下りリンクデータチャネルを送信することをスキップしてもよく、いずれかの上りリンクデータ送信を受信することをスキップしてもよい。
【０１４２】
任意選択で、第２のキャリアに対応する第１のサブフレームにおいて、基地局は、下りリンク信号を送信して上りリンク信号を受信するために、第１のキャリアに対応する第１のサブフレームのタイムスロット構成と同じタイムスロット構成を使用してもよい。
【０１４３】
本発明で提供される基地局は、前述のダイナミックTDDキャリア技術及び異なる上りリンク・下りリンク構成を有するキャリアのアグリゲーションの事例で、競合したサブフレームにおいて半二重UEのリソース利用を改善することができることが分かる。すなわち、UEは、同じサブフレームの重複しないシンボルで別々に受信及び送信することができる。
【０１４４】
本発明の実施例の技術的対策は、GSM（登録商標）（Global  System  for  Mobile  Communication）システム、符号分割多重アクセス（CDMA：Code  Division  Multiple  Access）システム、広帯域符号分割多重アクセス（WCDMA（登録商標）：Wideband  Code  Division  Multiple  Access）システム、GPRS（General  Packet  Radio  Service）システム、LTE（Long  Term  Evolution）システム、LTE周波数分割双方向（FDD：Frequency  Division  Duplex）システム、LTE時分割双方向（TDD：Time  Division  Duplex）、UMTS（Universal  Mobile  Telecommunication  System）、WiMAX（Worldwide  Interoperability  for  Microwave  Access）通信システム等のような様々な通信システムに適用されてもよいことが分かる。
【０１４５】
また、本発明の実施例では、ユーザ装置（UE：User  Equipment）は、端末（Terminal）、移動局（MS：Mobile  Station）、移動端末（Mobile  Terminal）等と呼ばれてもよいことが分かる。ユーザ装置は、無線アクセスネットワーク（RAN：Radio  Access  Network）を通じて１つ以上のコアネットワークと通信してもよい。例えば、ユーザ装置は、移動電話（“セルラ”電話とも呼ばれる）でもよく、移動端末を備えたコンピュータでもよい。例えば、ユーザ装置はまた、無線アクセスネットワークと音声及び／又はデータを交換するポータブル、ポケットサイズ、ハンドヘルド、コンピュータ内蔵、又は車内の移動装置でもよい。
【０１４６】
本発明の実施例では、基地局は、GSM（登録商標）又はCDMAにおける基地局（BTS：Base  Transceiver  Station）でもよく、また、WCDMA（登録商標）における基地局（NB：NodeB）でもよく、更に、LTEにおけるevolved  Node  B（eNB又はe-NodeB）でもよい。これは本発明で限定されない。説明を容易にするために、以下の実施例は、基地局（eNB）及びユーザ装置（UE）を例として使用する。
【０１４７】
本発明で提供される複数の実施例では、開示のシステム、装置及び方法は、他の方法で実装されてもよいことが分かる。例えば、記載の装置の実施例は、単なる例である。例えば、ユニットの分割は、単に論理的な機能分割であり、実際の実装では他の分割でもよい。例えば、複数のユニット又はモジュールは、組み合わされてもよく、他のシステムに統合されてもよく、いくつかの機能は無視されてもよく実行されなくてもよい。
【０１４８】
当業者は、方法の実施例のステップの全部又は一部が関連するハードウェアに命令するプログラムにより実施されてもよいことを理解し得る。プログラムは、コンピュータ読み取り可能記憶媒体に格納されてもよい。プログラムが実行する場合、方法の実施例のステップが実行される。前述の記憶媒体は、ROM、RAM、磁気ディスク又は光ディスクのように、プログラムコードを格納することができるいずれかの媒体を含む。
【０１４９】
前述の説明は、本発明の単なる特定の実装方法であるが、本発明の保護範囲を限定することを意図するものではない。本発明に開示された技術範囲内で当業者により容易に理解できる如何なる変更又は置換も、本発明の保護範囲内に入るものとする。従って、本発明の保護範囲は、特許請求の範囲の保護範囲に従うものとする。
【国際調査報告】
2015537449.tif 000011
2015537449.tif 000012
2015537449.tif 000013
2015537449.tif 000014